(57)【要約】【課題】お香をしっかりと立てられ、燃え残りを捨て易く、燃え残りの少ないお香立て。【解決手段】棒状のお香軸の周囲に移動保持具が整列するように構成し、周囲からお香を挟み支えるお香立てであり、その方法として大きく分けて次の二つの方法を取る。１．磁石を配置した保持台の上に、強磁性体の移動保持具を配置し、その中央にお香軸を差し込むことで、棒状のお香軸の周囲に移動保持具が整列するように構成したもの。２．お香軸に向かって下向きに傾斜する皿状の傾斜面などの上に、移動保持具を配置し、その中央にお香軸を差し込むことで、棒状のお香軸の周囲に移動保持具が整列するように構成したもの。さらに支柱を使用したものも含む。【選択図】図１
2007054331.tif 000002
【特許請求の範囲】
【請求項１】
保持台と、前記保持台の上に配置された移動保持具とが、協働して、棒状のお香を挟み保持するお香立てであって、
前記移動保持具が、磁力または／および重力落差によって移動することで、お香軸を定位置に位置決めし、小さな挟みしろで周囲から挟み、しっかりと保持することによって、燃え残りを少なくすることを特徴とする、お香立て。
【請求項２】
前記保持台は、お香軸を定位置に位置決めする位置に、磁石を設けたものであり、
前記移動保持具は、３個以上の球状、または２個以上の不定形状の移動体で、ともに強磁性体を含んだものであり、
前記保持台の前記磁石と、前記移動保持具に含まれる前記強磁性体が、磁力によって相互に引き寄せ合うことにより、
前記移動保持具が、お香軸の周囲に移動することで、お香軸を支えることを特徴とする、前記請求項１記載の、お香立て。
【請求項３】
前記保持台は、お香軸を定位置に位置決めする位置に、強磁性体を設けたものであり、
前記移動保持具は、３個以上の球状、または２個以上の不定形状の移動体で、ともに強磁性体を含んだものであり、
前記移動保持具に含まれる前記強磁性体のうち、少なくとも１つは磁石であり、
前記保持台および前記移動保持具に含まれる前記強磁性体と前記磁石が、磁力によって相互に引き寄せ合うことにより、
前記移動保持具が、お香軸の周囲に移動することで、お香軸を支えることを特徴とする、前記請求項１記載の、お香立て。
【請求項４】
前記保持台は、お香軸を定位置に位置決めする支柱と、該支柱の周辺に強磁性体を設けたものであり、
前記移動保持具は、１個以上の球状、または１個以上の不定形状の移動体で、ともに強磁性体を含んだものであり、
前記保持台と、前記移動保持具に含まれる前記強磁性体のうち、少なくとも１つは磁石であり、
前記保持台および前記移動保持具に含まれる前記強磁性体と前記磁石が、磁力によって相互に引き寄せ合うことにより、
前記保持台の前記支柱部と、前記移動保持具とで、お香軸を挟み込むことを特徴とする、前記請求項１記載の、お香立て。
【請求項５】
前記保持台は、お香軸を定位置に位置決めする位置に向かって、下向きに傾斜する傾斜面を設けたものであり、
前記移動保持具は、３個以上の球状、または２個以上の不定形状の移動体であり、
前記移動保持具が、重力によって傾斜面を下ることで、お香軸の周囲に移動し、お香軸を支えることを特徴とする、前記請求項１記載の、お香立て。
【請求項６】
前記保持台は、お香軸を定位置に位置決めする位置に向かって、下向きに傾斜する１つ以上の傾斜面、または少なくとも一組の、先がV字形に開いた一対のレール状の案内部を設けたものであり、
前記移動保持具は、３個以上の球状、または２個以上の不定形状の移動体であり、
前記移動保持具が、重力によってお香軸に向かって、前記案内部に沿って移動し、お香軸を支えることを特徴とする、前記請求項１記載の、お香立て。
【請求項７】
前記保持台は、お香軸を定位置に位置決めする支柱と、
前記定位置に向かって、下向きに傾斜する１つ以上の傾斜面、または少なくとも一組の、先がV字形に開いた一対のレール状の案内部を設けたものであり、
前記移動保持具は、１個以上の球状、または１個以上の不定形状の移動体であり、
前記保持台上の支柱部と、重力によってお香軸に向かって、前記案内部に沿って移動する前記移動保持具とで、お香軸を挟むことを特徴とする、前記請求項１記載の、お香立て。
【請求項８】
棒状のお香を移動保持具によって挟み保持するお香保持具であって、
前記移動保持具は、３個以上の球状、または２個以上の不定形状で、ともに強磁性体を含むものであり、少なくともそのうち１つ以上は磁石であり、
前記移動保持具が、磁力によって相互に引き寄せ合うことにより、
お香軸の軸端を前記移動保持具によって周囲から挟むことによって、小さな挟みしろで、お香軸を立てることができ、燃え残りを少なくすることができることを特徴とする、お香保持具。
【請求項９】
棒状のお香を立てるため、お香軸を定位置に位置決めする位置に、磁石または強磁性体を設けたことを特徴とするお香保持台。
【請求項１０】
棒状のお香を立てるため、お香軸を定位置に位置決めする位置に、支柱と、該支柱の周辺に磁石または強磁性体を設けたことを特徴とするお香保持台。
【請求項１１】
棒状のお香を立てるため、お香軸を定位置に位置決めする位置に、お香軸の着座部を設け、該着座部に向かって、下向きに傾斜する傾斜面を設けたことを特徴とするお香保持台。
【請求項１２】
棒状のお香を立てるため、お香軸を定位置に位置決めする位置に、お香軸の直径より大きな着座部、または／およびお香を支えることのできる大きさの補足柱を備え、該着座部または該補足柱に向かって、下向きに傾斜する傾斜面を設けたことを特徴とするお香保持台。
【請求項１３】
棒状のお香を立てるため、お香軸を定位置に位置決めする位置に、お香軸の直径より大きな着座部、または／およびお香を支えることのできる大きさの補足柱を設け、該着座部または該補足柱に向かって、下向きに傾斜する１つ以上の傾斜面、または一組以上の、先がV字形に開いた一対のレール状の案内部を設けたことを特徴とするお香保持台。
【請求項１４】
棒状のお香を立てるため、お香軸を定位置に位置決めする位置に、支柱を設け、
前記支柱に向かって、下向きに傾斜する１つ以上の傾斜面、または一組以上の、先がV字形に開いた一対のレール状の案内部を設けたことを特徴とするお香保持台。
【発明の詳細な説明】
【技術分野】
【０００１】
この発明は、お香立て、お香保持具、およびお香保持台に関するものである。
【背景技術】
【０００２】
本発明が目的とするお香は、薫香用の径３．０ｍｍ程度、長さ８０ｍｍ〜１００ｍｍ程度の棒状のものであり、燃焼時に燃焼面積が変化しないため、安定的に薫香が焚けるものであるが、単なる棒状であるので、燃焼させるためには、立てなければならないものである。
【０００３】
現在市販されているこれら薫香用に使われるお香立ては、図３１に示したように厚さ約３ｍｍ、径約２０ｍｍ程度で、中央に径３ｍｍ程度の穴をあけた円盤を皿の上に置き、そこにお香をまっすぐに立てるもの、図３２のように、厚さを１０ｍｍ程度にしたもの、あるいは図３３に示したように、皿状で、直接径３ｍｍ程度の穴を穿ち、お香をまっすぐに、あるいは傾けて立てるように構成したものなどである。
【０００４】
前記円盤状のものは、穴の径を大きくすると、お香はまっすぐには立たなくなり、まっすぐに立てるためには、図３２に示したように、円盤の厚みを増す必要があるが、厚みを増すと燃え残りが多くなってしまうし、まっすぐに立つとは言っても、実際には不安定でぐらぐらするものであった。
【０００５】
また、穴の径を小さくしすぎると、径が少しでも大きいお香は入らなくなり、また穴とのすき間が減るため、燃え残りを排除しにくくなるという関係があった。
【０００６】
皿の上に置いた前記円盤では、燃焼が終ると、穴の内部には燃え残りが残ってしまい、燃え残りを排除し、新しいお香を立てるためには、灰のたまった皿の上から一度、薄い円盤を手で拾い上げる必要があり、灰によって手が汚れ、またお香を１本焚くごとに面倒な処理が必要で手間がかかるなどの欠点があった。
【０００７】
また、仮に敷き詰められた灰の上に、前記円盤状のお香立てを置いて使用すると、お香を立てる時、灰の中にまでお香が入ってしまい、燃え残りが多くなるという欠点があった。
【０００８】
前記皿状で、穴を穿ってあるものでは、燃え残りが常に穴の底に残るので、１本のお香を焚くたびに、燃え残りを排出し捨てるために、皿を反転させる必要があった。
【０００９】
前記円盤状のお香立てが、燃え残りを少なくするため、薄く作られていること、前記皿状のものであっても、お香を１本焚くごとに、いちいち皿を持ち上げて燃え残りを捨てるために皿を移動する必要があるため、ともに軽量に作られる傾向があり、以上の軽く薄いという特徴から、これらのお香立ては一時しのぎ的、簡略版的なイメージが強く、床の間飾りに使用できるような重厚な香炉は設計が困難であった。
【００１０】
これらの諸問題点を解決するのに、
特許公開２００３−２３５７１５号公報、および特許公開２００１−３４０２０５号公報は、お香が完全に燃えてしまうとしたものであるが、完全に燃えたとしても灰は必ず残るので、それを捨てるためには、お香立てを灰の中から拾い上げ、反転させて灰を捨てねばならない。
【００１１】
登録実用新案第３０４８７０６号、特許公開平９−１３５７６８号は、水晶の粒状体、ステンレス粒などを入れた香炉であるが、本発明のように球などを単層で幾何学的に配置するのとは異なり、器の中に何層にも重ねて配置するものであり、燃え残りが非常に多く出るし、一本ごとの燃え残りの排除を考慮に入れたものではない。
【００１２】
特許公開平１０−４３０３６号は、積層マットを用いたもの、実用新案公開平５−１３８６号は、バネの弾性を使って保持する構造のものであるが、いずれもお香のサイズの変化に十分対応出来ているとはいえない。
【００１３】
実用新案公開平７−２５８８８号は、テーパ状のすきまにお香軸を挟むものであり、実用新案公開平７−３０８６１号は、テーパ構造の上にくさびを差し込んだものであるが、ともにお香を立てる時には、一度お香立てを取り上げて組みつける必要があり、特許公開平１１−２２５８７４は、お香台にスライドを設けたものであるが、いずれもワンタッチでお香を立てることはできない。
【００１４】
本願発明に関する公知技術として次の特許文献１〜９をあげることができる。
【００１５】
【特許文献１】特許公開２００３−２３５７１５
【特許文献２】特許公開２００１−３４０２０５
【特許文献３】登録実用新案第３０４８７０６
【特許文献４】特許公開平９−１３５７６８
【特許文献５】特許公開平１０−４３０３６
【特許文献６】実用新案公開平５−１３８６
【特許文献７】実用新案公開平７−２５８８８
【特許文献８】実用新案公開平７−３０８６１
【特許文献９】特許公開平１１−２２５８７４
【発明の開示】
【発明が解決しようとする課題】
【００１６】
本発明は、お香の挟みしろを小さくすることで燃え残りを少なくし、かつお香立てを据え置きしたまま、手を汚さずに燃え残りを簡単に排除でき、次のお香が容易に、かつしっかりと立てられるようなお香立てを課題とする。
同時に、前記お香立てを配置した重厚なイメージの据置型の香炉を課題とする。            
【００１７】
本発明の前記ならびにそのほかの目的と新規な特徴は、次の説明を添付図面と照らし合わせて読むと、より完全に明らかとなるであろう。
ただし、図面はもっぱら解説のためのものであって、本発明の記述的範囲を限定するものではない。
【課題を解決するための手段】
【００１８】
上記目的を解決するために、請求項１は、
保持台と、前記保持台の上に配置された移動保持具とが、協働して、棒状のお香を挟み保持するお香立てであって、
前記移動保持具が、磁力または／および重力落差によって移動することで、お香軸を定位置に位置決めし、小さな挟みしろで周囲から挟み、しっかりと保持することによって、燃え残りを少なくすることを特徴とする、お香立てである。
【００１９】
請求項２は、
前記保持台は、お香軸を定位置に位置決めする位置に、磁石を設けたものであり、
前記移動保持具は、３個以上の球状、または２個以上の不定形状の移動体で、ともに強磁性体を含んだものであり、
前記保持台の前記磁石と、前記移動保持具に含まれる前記強磁性体が、磁力によって相互に引き寄せ合うことにより、
前記移動保持具が、お香軸の周囲に移動することで、お香軸を支えることを特徴とする、前記請求項１記載の、お香立てである。
【００２０】
請求項３は、
前記保持台は、お香軸を定位置に位置決めする位置に、強磁性体を設けたものであり、
前記移動保持具は、３個以上の球状、または２個以上の不定形状の移動体で、ともに強磁性体を含んだものであり、
前記移動保持具に含まれる前記強磁性体のうち、少なくとも１つは磁石であり、
前記保持台および前記移動保持具に含まれる前記強磁性体と前記磁石が、磁力によって相互に引き寄せ合うことにより、
前記移動保持具が、お香軸の周囲に移動することで、お香軸を支えることを特徴とする、前記請求項１記載の、お香立てである。
【００２１】
請求項４は、
前記保持台は、お香軸を定位置に位置決めする支柱と、該支柱の周辺に強磁性体を設けたものであり、
前記移動保持具は、１個以上の球状、または１個以上の不定形状の移動体で、ともに強磁性体を含んだものであり、
前記保持台と、前記移動保持具に含まれる前記強磁性体のうち、少なくとも１つは磁石であり、
前記保持台および前記移動保持具に含まれる前記強磁性体と前記磁石が、磁力によって相互に引き寄せ合うことにより、
前記保持台の前記支柱部と、前記移動保持具とで、お香軸を挟み込むことを特徴とする、前記請求項１記載の、お香立てである。
【００２２】
請求項５は、
前記保持台は、お香軸を定位置に位置決めする位置に向かって、下向きに傾斜する傾斜面を設けたものであり、
前記移動保持具は、３個以上の球状、または２個以上の不定形状の移動体であり、
前記移動保持具が、重力によって傾斜面を下ることで、お香軸の周囲に移動し、お香軸を支えることを特徴とする、前記請求項１記載の、お香立てである。
【００２３】
請求項６は、
前記保持台は、お香軸を定位置に位置決めする位置に向かって、下向きに傾斜する１つ以上の傾斜面、または一組以上の、先がV字形に開いた一対のレール状の案内部を設けたものであり、
前記移動保持具は、３個以上の球状、または２個以上の不定形状の移動体であり、
前記移動保持具が、重力によってお香軸に向かって、前記案内部に沿って移動し、お香軸を支えることを特徴とする、前記請求項１記載の、お香立てである。
【００２４】
請求項７は、
前記保持台は、お香軸を定位置に位置決めする支柱と、
前記定位置に向かって、下向きに傾斜する１つ以上の傾斜面、または一組以上の、先がV字形に開いた一対のレール状の案内部を設けたものであり、
前記移動保持具は、１個以上の球状、または１個以上の不定形状の移動体であり、
前記保持台上の支柱部と、重力によってお香軸に向かって、前記案内部に沿って移動する前記移動保持具とで、お香軸を挟むことを特徴とする、前記請求項１記載の、お香立てである。
【００２５】
請求項８は、
棒状のお香を移動保持具によって挟み保持するお香保持具であって、
前記移動保持具は、３個以上の球状、または２個以上の不定形状で、ともに強磁性体を含むものであり、少なくともそのうち１つ以上は磁石であり、
前記移動保持具が、磁力によって相互に引き寄せ合うことにより、
お香軸の軸端を前記移動保持具によって周囲から挟むことによって、小さな挟みしろで、お香軸を立てることができ、燃え残りを少なくすることができることを特徴とする、お香保持具。である。
【００２６】
請求項９は、
棒状のお香を立てるため、お香軸を定位置に位置決めする位置に、磁石または強磁性体を設けたことを特徴とするお香保持台である。
【００２７】
請求項１０は、
棒状のお香を立てるため、お香軸を定位置に位置決めする位置に、支柱と、該支柱の周辺に磁石または強磁性体を設けたことを特徴とするお香保持台である。
【００２８】
請求項１１は、
棒状のお香を立てるため、お香軸を定位置に位置決めする位置に、お香軸の着座部を設け、該着座部に向かって、下向きに傾斜する傾斜面を設けたことを特徴とするお香保持台である。
【００２９】
請求項１２は、
棒状のお香を立てるため、お香軸を定位置に位置決めする位置に、お香軸の直径より大きな着座部、または／およびお香を支えることのできる大きさの補足柱を備え、該着座部または該補足柱に向かって、下向きに傾斜する傾斜面を設けたことを特徴とするお香保持台である。
【００３０】
請求項１３は、
棒状のお香を立てるため、お香軸を定位置に位置決めする位置に、お香軸の直径より大きな着座部、または／およびお香を支えることのできる大きさの補足柱を設け、該着座部または該補足柱に向かって、下向きに傾斜する１つ以上の傾斜面、または一組以上の、先がV字形に開いた一対のレール状の案内部を設けたことを特徴とするお香保持台である。
【００３１】
請求項１４は、棒状のお香を立てるため、お香軸を定位置に位置決めする位置に、支柱を設け、
前記支柱に向かって、下向きに傾斜する１つ以上の傾斜面、または一組以上の、先がV字形に開いた一対のレール状の案内部を設けたことを特徴とするお香保持台である。
【発明の効果】
【００３２】
本発明は、請求項１において総括しているお香立てと、請求項８のお香保持具、請求項９〜請求項１３のお香保持台からなり、
前記お香立ては、棒状のお香を立てるために、保持台と移動保持具でお香軸を保持し、立てることを特徴としている。
その方法として、前記移動保持具をお香軸の周辺に集めるための力として、１．磁力、２．重力落差という二つの方法を用いている。
さらにそれぞれ、お香軸の側方にあたる位置にお香軸を受ける支柱を配置し、お香を支柱と移動保持具とで挟むことでお香を保持しているものが含まれている。
【００３３】
また、請求項８は、移動保持具だけでお香を立てるお香保持具、請求項９〜請求項１３は、お香保持台であり、その上に載せる移動保持具を特定しないものとなっている。
【００３４】
以上、いずれの方法においても、お香の軸の周辺には前記球状、あるいは前記不定形状の物体が寄り集まり、お香の軸を適度な強さで挟み込み、軸を保持し、かつ必要な時、簡単に挟み込みを開放し、燃え残りを簡単に排除することが可能となる。
以下請求項ごとに効果を述べるが、まず、請求項２、請求項３、請求項４の保持力が磁力によっているものについて述べる。
【００３５】
請求項２は、お香の中心軸の下に磁石を配置し、お香軸の周囲には、球状または不定形状であり、内部に強磁性体を含んでいる複数個の移動保持具が配されている。
【００３６】
また、請求項３は、お香の中心軸の下に強磁性体を配置し、お香軸の周囲には、球状または不定形状であり、内部に強磁性体を含んでいる複数個の移動保持具が配され、前記移動保持具のうち少なくとも１つが磁石を含んでいるものである。
【００３７】
（１-１）請求項２、請求項３は、上記の構成をとることにより、磁石と強磁性体が、磁力によって互いに引き寄せ合うことで、お香の中心軸に向かって移動保持具が吸い寄せられ、移動保持具がお香軸の周囲に移動し、周囲からお香を挟み立て保持するものであり、様々な太さのお香をしっかりと立てることができる。
【００３８】
請求項４は、お香軸の側方にあたる位置に支柱を備え、支柱、また支柱周辺に配置された強磁性体と、移動保持具のうち少なくとも１つは磁石を含んでいることにより、磁力によって支柱と移動保持具が互いに引き寄せ合う構造になり、上記（１-１）と同様に、様々な太さのお香をしっかりと立てることができる。
【００３９】
（１-２）請求項２、請求項３、請求項４では容易にその移動保持具の一部を移動もしくは自転させ、簡単に挟み込みを解除出来るので、燃え残りを捨てる際にも、お香立てを反転させたり、お香立ての台を拾い上げたりしなくともよく、手を灰で汚すことなく、お香立てを据え置きのまま容易に燃え残りが排除でき、新しいお香をワンタッチで立てることができる効果がある。
【００４０】
（１-３）構造的にもシンプルで、ゴミなどを挟み込む余地もないため、壊れにくい。また、バネを利用していないので、バネの折損がない。また、ネジ部や、固定した回転軸を持たないので、摩耗部分がなく、すべりが悪くなったり固着したりということもないという効果がある。
【００４１】
（１-４）移動保持具のサイズを小さくする、あるいはお香軸を下から支え高さ調節をする補足柱を備えることにより、挟みしろが減ることになり、燃え残りが少なくなるという効果がある。
【００４２】
（１-５）バネやゴムや樹脂、繊維などの弾性体では、お香軸の径の大小によって締めつける力に変化が起こり、大きな径のものを長く挟んでいるとクセがついて、次に小さな径のものを挟む力が弱まる傾向があるが、前記磁力による締めつけ力は、お香の径の大小にあまり影響されないという効果がある。
【００４３】
（１-６）また、お香軸の根元に球が整列するという幾何学的なデザインとなり、主に金属球を使うので、メタリックで美麗な外観を備えるという効果がある。
【００４４】
（１-７）保持台に配置された磁石、強磁性体、また移動保持具である磁石や強磁性体は半永久的にその引き寄せ合う力を保持する。特に、劣化しやすいゴムや樹脂、繊維などの弾性体を使用していないので経年変化がないという効果がある。
【００４５】
（１-８）お香の軸は磁石の力でしっかりと保持されているので、お香立てを自由な角度に傾けて配置することができる。例えば角度を付けたり、あるいは上下を逆に、つまり軸を下向きに設置することも可能であるという効果があり、さらに、これらの場合は、灰が保持台や移動保持具の上に落ちないという効果がある。
保持台、またはその一部を球状にし、その上に磁石あるいは強磁性体を載せたものでは、お香を立てる角度、方向が自由に調整できるという効果がある。
【００４６】
（１-９）灰や燃え残りを捨てるために、保持台を反転する際にも回転体は磁石に貼り付いたままなので、小さな保持具が失われることもなく、灰や燃え残りをたいへん捨てやすいという効果がある。
【００４７】
次に、請求項８について述べる。
（２）請求項８は、保持台を常設しないが、保持具だけでお香軸を挟み支え保持出来、さらに強磁性体の上ならどこにでも磁力で吸着することができ、自由な角度に配置することも可能である。さらに携帯にも便利で、製造コストも安いほか、前記（１-１）、（１-３）〜（１-７）と同様の効果がある。
【００４８】
次に、請求項９、請求項１０について述べる。
（３）請求項９、請求項１０は、お香保持台についてのものであり、移動保持具を特定しないもので、サイズと性質さえ適切であれば、どこにでもある鉄球などを上に載せることで、前記（１-１）〜（１-７）と同様の効果があるものである。
【００４９】
請求項５〜請求項７は、前記請求項２〜請求項４、および請求項８とは異なり、磁力を使わず、もっぱら重力落差を利用するものである。次にこの方式を用いたものの効果を述べる。
【００５０】
（４-１）請求項５〜請求項７において、移動保持具は比重の大きいものが望ましいが、それ以外特に素材を選ばないので、例えばガラスでも透明のものから色や模様のついたもの、表面もつるつるしたものから若干の起伏を持ったもの、あるいはかなり変形したものまで様々なデザインのものを使える。そのほか、各種金属、大理石、貴石のほか、木材、セラミック、耐熱樹脂まで様々な素材を使うことができ、デザインの幅が広いという効果がある。
【００５１】
（４-２）バネやゴムや樹脂、繊維などの弾性体では、お香軸の径の大小によって締めつける力に変化が起こり、大きな径のものを長く挟むんでいるとクセがついて、次に小さな径のものを挟む力が弱まる傾向があるが、傾斜構造の上に置かれた回転体の締めつけ力は、お香の径の大小にまったく依存しないという効果がある。
【００５２】
（４-３）また、前記移動保持具は最低３個の移動保持具が保持台の上にのっているだけなので、清掃も簡単である。
【００５３】
（４-４）その他、前記（１-１）〜（１-４）と同様の効果がある。
【００５４】
（５）上記以外で請求項ごとに効果をあげると、
請求項５は、お香軸に向かって下向きに傾斜する傾斜面に、球状または不定形の保持具を配置するもので、保持具は傾斜面の底に向かって転がり、互いにぶつかり合いながらバランスをとり、やがて幾何学的に美しく整列し、静止する。このオブジェ的な動きを見て視覚的にも楽しむことができるという効果がある。
【００５５】
（６）請求項６は、お香軸に向かって下向きに傾斜する１つ以上の傾斜面、またはお香軸に向かって先が開いた形状のレールを配置することで、移動保持具の案内部を形成することができ、お香軸に対する移動保持具の接触角度が正確になるため、均等に挟むことができる効果がある。
【００５６】
（７）請求項７は、お香軸の側方にあたる位置にお香軸を受ける支柱を配置することにより、移動保持具の数を減らし、移動保持具のサイズをあまり選ばす、簡単にかつ安価に構成出来るという効果がある。
【００５７】
次に、請求項１１、請求項１２、請求項１３について述べる。
（８）請求項１１、請求項１２は、請求項３は、お香保持台についてのものであり、特に上に載せる移動保持具を特定しないため、ごくふつうにあるガラスのビー玉、鉄球などを載せても機能するものであり、
（４-４）その他、前記（４-１）〜（１-３）、（１-１）〜（１-４）、と同様の効果があり、さらに、請求項１１には、前記（５）、請求項１２には前記（６）、請求項１３には前記
（７）と同様の効果がある。
【発明を実施するための最良の形態】
【００５８】
以下、本発明を実施するための最良の形態を、図面に基づき詳細に説明する。
前記発明の効果で示したように、保持具をお香軸の周辺に集めるために、１．磁力、２．重力落差という二つの異なる方法を取るため、最良の形態も大きくこの２つに分かれることになる。さらにこのお香立てを配置した香炉、およびお香保持台についても図示する。
【００５９】
図１〜図１５までが、磁石を利用する方法であり、図１６〜図２３が重力落差を利用する方法、図２４〜２７が香炉の図、図２８〜図３０はお香保持台の図である。
【００６０】
これらの本発明を実施するための異なる形態の説明にあたって、同一構成部分には同一符号を付して重複する説明を省略する。
【００６１】
また、斜視図あるいは平面図において、前面の物体によりその奥が見えない場合、前面の物体に隠された部分を点線、あるいは一部カットして表現した。また、説明の繁雑を避けるため、移動保持具を単に球と表現している場合がある。
【００６２】
まず、保持台に磁石が配置されている請求項２について述べる。
対応する図は、図１〜図６である。
【００６３】
図１〜図６において、
９９は、お香軸である。
１ は、保持台である。
２ は、保持台に配置された磁石である。
３ は、移動保持具である。
４ は、追加された移動保持具である。
５は、 台に配置されたリング状磁石である。
【００６４】
お香の軸の根元円周上に球を配置することによって、お香軸をまっすぐに立てるためには、お香の軸の同円周上に少なくとも３つ以上の接点が必要となる。
【００６５】
球の数が３個以上の場合はこれを十分に満たしているが、球を軸の根元周囲に並べて幾何学的に美しく整列させるためには、球の個数とそのサイズとの間にはある程度決まりがある。
【００６６】
ここで目的とするお香のサイズは直径２．８ｍｍ程度で、長さ約８０ｍｍから１００ｍｍである。一例をあげて説明する。
お香の直径を２．８ｍｍとし、これを３個の球によって軸周囲を囲むとすると、その球の直径の上限は１７．６ｍｍ程度であり、締めつける余裕や、径の若干小さいものを挟むことを考慮に入れると球のサイズは約１２ｍｍから１５ｍｍ程度が適当である。ただし、このサイズでは、お香軸と球の接点が、台から６〜７．５ｍｍあたりになってしまうので、お香軸を下から支えるため補足柱を備える必要がある。
【００６７】
磁石の上の４個の球で挟むとすると、その上限は６．８ｍｍ程度、５個の場合３．９ｍｍ程度、６個の場合２．８ｍｍ程度であり、締めつける余裕を含めると、それぞれ５ｍｍ程度、３ｍｍ、２ｍｍ程度、が実用域となるが、５ｍｍ以下の球の場合、球とお香軸の接点は軸端から２．５ｍｍ以下となるので補足柱は必要ない。
【００６８】
図１は、保持台に配置された磁石の上に、 お香軸と、移動保持具として４つの球状の強磁性体を配置した斜視図であり、図２は同平面図である。
【００６９】
図１では、保持台には、直径１０ｍｍの円柱形ネオジウム磁石が埋めこまれており、磁石の磁界は、表面に出ている部分がＮまたはＳである。
磁石の上部には移動保持具として、４個の直径５ｍｍの強磁性体である鉄を主成分とした球が配置されている。
【００７０】
磁石の上に１つの強磁性体の球を載せたとすると、１つの球は磁力の中心である磁石の中心におさまるが、球の数を２個、３個と増やすと、球は互いに牽制し合い、幾何学的に安定な位置に動こうとする。
図１では４個の直径５ｍｍの強磁性体の球が配置され、すべての球が磁石の端部より内側で磁石に接しているが、互いに散らばってしまうほど磁石の径は大きくはないので、球は、磁石に引きつけられながらも互いに反発しあい、幾何学的に安定した状態に移動する。
【００７１】
球と磁石との接点は１点であるが、形が球状であるため、磁石から球を引き離す力の数十分の一の力で、球は自由回転したり、磁石上を平行移動したりすることができる。この状態で球の中央にお香軸を差し込むと、球は自転しながら場所を空け、お香軸を挟み込むことができる。
【００７２】
お香の火が消えた場合、燃え残りは球の配列の中に残っているが、球は自転することができ、移動するのもスムーズであるので、新しいお香軸の先端で触れると、燃え残りを簡単に排除することができる。また、球は強力な磁石に吸引されているので、逆さまに傾けても離れることがないので灰や燃え残りの清掃はごく簡単である。
【００７３】
図３は、保持台に配置された径６ｍｍの円柱形磁石の上に、 お香軸と、移動保持具として径２ｍｍの７つの球を配置した斜視図、図４-Ａは、同平面図、図４-Ｂは、前記平面図に、追加された７個の球を配置した平面図である。
【００７４】
図３、図４で磁石は径が６ｍｍであるが、球の直径の方がお香軸の直径より小さいので、球はより安定した３個ずつの集合体になりたがり、ついにはお香の軸の入るべき場所に転がりこむことがある。それを避けるには、図４-Ｂのように７個の球の場合、１列目の７個の配列の外に、さらに２列目の７個の球を上から見て星型になるように配置し、外郭がそれぞれ３個ずつの集合になるようにしてやると安定度は増す。
【００７５】
図３、図４で、球の径を２ｍｍとした場合、挟みしろが小さいので、燃え残りは約２．４ｍｍ程度と極めて小さくなる。
【００７６】
図５-Ａは、保持台に配置された径５ｍｍ、内径２．４ｍｍのリング状磁石の上に、移動保持具として径２ｍｍ、６個の球状の強磁性体を配置した平面図であり、図５-Ｂは、中心にお香軸を差し込んだ場合の平面図であり、６個の球が外に向かって移動し、お香軸を挟み込んだ様子を示すものである。
リング状の磁石によって球は磁石のリング円周の上に安定して配置され、お香軸がない状態でも、図５-Ａの状態で安定する。また、磁石またはリング状磁石の上面に、中心に向かって下向きの傾斜がある形態でもさらなる安定が得られる。
【００７７】
図１〜図５ではお香に直接接する球が４個と７個、６個のものをとりあげたが、同様に３個、５個、７個、８個、９個、１０個、さらにそれ以上の球による配列も可能である。
実施例をあげると、
円柱形磁石：径１０ｍｍの上に４個の直径５ｍｍの球。
円柱形磁石：径９ｍｍの上に４個の直径４ｍｍの球。
円柱形磁石：径７ｍｍの上に５個の直径３ｍｍの球。
円柱形磁石：径６ｍｍの上に６個の直径２ｍｍの球。
リング状磁石：外径１２ｍｍ、内径８ｍｍの上に３個の直径１５ｍｍの球。
リング状磁石：外径１０ｍｍ、内径６ｍｍの上に３個の直径６ｍｍの球。
リング状磁石：外径８ｍｍ、内径４ｍｍの上に４個の直径５〜４ｍｍの球。
リング状磁石：外径６ｍｍ、内径３ｍｍの上に５個の直径３ｍｍの球。
リング状磁石：外径５ｍｍ、内径２．４ｍｍの上に６個の直径２ｍｍの球。
などが可能である。
【００７８】
小さな球の場合、球の個数の増減によってお香の軸のサイズの変化に対応することができるが、球のサイズはせいぜい２ｍｍ程度、径２．８ｍｍのお香軸では多くとも６〜７個程度が適切であろう。
【００７９】
図６は、保持台に配置されたネオジウム磁石の上に、移動保持具として、２個の不定形状の強磁性体を置いたもので、それらが磁力により引き寄せ合い、お香の軸を挟むものである。不定形状ではあっても、磁石との接点が点状になるように、部分的であれ球状の曲面を備えたもののほうが、回転や移動が簡単で、お香軸を挟みやすい。
【００８０】
請求項３は、保持台には強磁性体が配置され、移動保持具に含まれた強磁性体のうち１つ以上が磁石である場合であるが、これに対応する図は、図７〜図１１である。
【００８１】
図７〜図１１において、
９９は、お香軸である。
１ は、保持台である。
３ は、移動保持具である。
８ は、保持台に配置された強磁性体である。
【００８２】
図７は、保持台に鉄からなる強磁性体の円柱を埋めこみ、その上に移動保持具として径５ｍｍの球状のネオジウム磁石を置いたものであり、機能としては前記請求項２とほぼ同様である。
【００８３】
図８は、保持台に鉄からなる強磁性体の円柱を埋めこみ、その上に移動保持具として不定形状のネオジウム磁石を置いたものであり、機能としては、前記図６とほぼ同様である。
【００８４】
図９〜図１１は、台の上に径１５ｍｍの鉄球を置き、その上にすべてが径５ｍｍである球状のネオジウム磁石４個を配置したものである。この配置手順について以下に詳細に述べる。
【００８５】
図９-Ａは、保持台に球形の強磁性体を載せ、その上に配置された４個の球状の磁石でお香軸を挟んで立てた斜視図である。
適度な窪みを持つ台の上に置かれた球形の物体は、自由な角度に傾けることが出来るため、お香軸を好きな角度に保つことができる。
【００８６】
図９-Ｂは、燃え残りのお香軸を排出するため、４個の球状磁石を直角に引き起こした状態の斜視図である。
【００８７】
図１０-Ａ〜図１１-Ｃは、前記図９-Ａの状態に至る操作手順を図示したものである。
図１０-Ａは、前記球状の強磁性体である鉄球の上に単純に径５ｍｍの球状のネオジウム磁石を置いたもので、磁石球は互いに引き合いながら、反発し、一直線状に立ち上がる。
【００８８】
図１０-Ｂは、同上図で、一直線状になった磁石球の先端部を鉄球に押し戻した図であり、磁石球は半円弧を描いて再び鉄球に強く貼り付くことになる。
【００８９】
図１１-Ａは、同上図で、鉄球に貼り付いた磁石球２つを指でくっつけた図である。磁石球はそのうち２つが鉄球に強く貼り付いているが、反発力も発生していて、鉄球からは弾かれたように立ち上がった形になっている。
【００９０】
図１１-Ｂは、同上図で、鉄球に貼り付いたままの磁石球４個を指で直角に押し倒した図である。磁石球４個は、すべてが鉄球に貼り付くが、磁石球は鉄球の上を滑るように動く状態になる。
【００９１】
図１１-Ｃは、同上図で、４個の磁石球の中央にお香軸を押し込んだ状態であり、磁石球はお香軸を挟み込んでいる。この状態が、前記図９-Ａにあたるものである。
【００９２】
図１１-Ｃで、お香の燃焼が終わった場合、指で触ると、燃え残ったお香軸を挟んだまま、４個の磁石球が鉄球から弾かれたように立ち上がり、斜視図９-Ｂの状態になる。
この状態で燃え残りのお香軸を排除するのはごく簡単であり、排除後は、再び図１１-Ａ、図１１-Ｂ、図１１-Ｃという一連の流れで、再びお香軸を装着した状態になる。
【００９３】
次に、請求項４についての実施態様を述べる。
図１２は、保持台に磁石を配置し、その上部に支柱を配置し、支柱と １個の球状の強磁性体でお香軸を挟んだ斜視図である。
【００９４】
図１３は、保持台に磁石を配置し、その上部に支柱を配置し、支柱と １個の不定形のの強磁性体でお香軸を挟んだ斜視図である。
【００９５】
図１２、図１３において、
９９は、お香軸である。
１ は、保持台である。
３ は、移動保持具である。
６ は、保持台に配置された支柱である。
７ は、支柱周辺に配置された強磁性体である。
【００９６】
図１２、図１３は、お香軸の側方にあたる位置に支柱が立てられ、支柱下部には磁石が配置されたものであり、移動保持具は、図１２では１つの球状の強磁性体、また図１３では１つの不定形状の強磁性体からなっている。
【００９７】
支柱と移動保持具でお香軸を挟み込む場合、ごく普通のフェライト系磁石でも挟み込むことが可能であり、十分に安定感があり、機能としては、前記図１〜図６とほぼ同様である。また、支柱下部に配置した磁石を強磁性体に、移動保持具を磁石に置き換えた場合でもほぼ同様の働きをする。
【００９８】
次に、請求項８を示す図１４、図１５について述べる。
図１４、図１５において、
９９は、お香軸である。
３ は、移動保持具である。
【００９９】
図１４は、球状の磁石４個でお香軸を挟んだ斜視図であり、図１５は、不定形状の磁石２個でお香軸を挟んだ斜視図であり、特に保持台はなくとも機能するものである。
【０１００】
図９は、径が５ｍｍのネオジウムの球形磁石４個によって、お香軸の根元を挟んだものである。また、図１０は、不定形状の磁石２個で挟んだものである。それぞれ、自身が回転することでお香軸をスムーズに受け入れ保持することができる。
【０１０１】
燃え残りを排除する場合でも、自身が回転することで、非常にスムーズに排除ができるものであり、機能としては、前記図１〜図６とほぼ同様であり、さらに、磁石が吸いつく鉄などの上ならどこにでも、どんな角度でも貼りつけることが可能である。
【０１０２】
次に図１６〜図２３の重力落差を利用する方法の実施形態について説明する。
【０１０３】
図１６〜図２３の形態において、
９９は、お香軸である。
１は、保持台である。
３ は、移動保持具である。
６は、支柱である。
９は、お香軸に向かって下向きに傾斜する皿状の傾斜面である。
１０は、お香軸に向かって下向きに傾斜する傾斜面である。
１１は、お香軸に向かって先が開いた形のレールである。
１２は、補足柱である。
【０１０４】
図１６は、お香軸に向かって下向きに傾斜する皿状の傾斜面を配置した保持台の上の移動保持具でお香軸を挟んだ斜視図である。
図１６において、保持台１は、お香軸に向かって下向きに傾斜する皿状の傾斜面と一体に形成されている。
【０１０５】
移動保持具は直径１５ｍｍの３個の球であり、保持台上に球を置くと、球は傾斜面を転がり、傾斜の底にある支柱に向かって進み、３個の球は互いにぶつかりあい、押し合い、最後は互いに触れ合った状態で静止する。
【０１０６】
これら３個の球の中心にお香の軸を差し込むと、それまでは安定し、触れ合っていた接点の一部が切れて、球は自転しながら軸を受け入れ、軸は微動だにしない形で直立する。
【０１０７】
球の直径が１５ｍｍと大きいので、お香軸の下には補足柱が置かれている。
この補足柱は、お香軸を下から支え、球とお香軸の接する位置を決定することで、挟みしろを小さくする機能がある。
【０１０８】
球の直径は約 １２ｍｍ程度〜１６．７ｍｍであれば、３個の球で挟むことができるが、お香軸との接点が変わるので、補足柱を動かして調節する。
６ｍｍ以下の４個の球の場合でも挟むことができるが、やはり補足柱の長さを調節することにより、挟みしろを少なくすることができるほか、補足柱の存在は、球が傾斜の中心に転がり込まないストッパーの役目も果たす。
【０１０９】
球の材質は磁石の場合と異なり、比重さえ大きければあらゆる素材が有効で、素材を選ぶことがないため、透明ガラス、色つきガラス、模様つきガラス玉のほか、金属、木材、セラミック、大理石など様々な素材が使えるので、視覚的にも美しい。
【０１１０】
球は傾斜面を下に向かおうとしているだけなので、磁石の場合に比べて挟み込む力は弱いが、反面燃え残りを取り出す場合、簡単である。
【０１１１】
球が３個から１０個程度、それぞれのケースでお香軸は立つが、球の重量が大きいほうがより安定性は高い。
【０１１２】
３個の１５〜１６ｍｍの球の場合は、４個以上の球の場合に比較して重量が圧倒的に大きいため、傾斜の角度は小さくても安定する。球の数が多い場合は、より傾斜のきついものの方が安定する。
【０１１３】
図１７は、お香軸に向かって、下向きに傾斜する１つ以上の傾斜面を配置した保持台の上の３個の移動保持具でお香軸を挟んだ斜視図である。
図１７は、お香軸に向かって下向きに傾斜する１つ以上の傾斜面によって構成されたもので、３本のレール状斜面になったものである。球の自由な動きは束縛されるが、３つの方向から正確に軸をつかむことができる。
【０１１４】
図１８は、お香軸に向かって先が開いた形の３つのレールを配置した保持台の上の、３個の移動保持具でお香軸を挟んだ斜視図であり、図１９は、お香軸に向かって先が開いた形の３つのレールを配置した保持台の上の、３個の中央が太い回転体でお香軸を挟んだ斜視図である。
【０１１５】
図１８、図１９は、お香軸に向かって先が開いた形状のレールを３つ配置したものであり、図１８は移動保持具として球を、図１９は移動保持具として両端の細い回転体を配置したものである。ともに傾斜面はなくとも、先が開いているレールの上に載せることによって、球や、両端が細い回転体は、重力落差によってお香軸の方に移動し、図１７と同様の働きをする。
【０１１６】
図２０、図２１、図２２は、お香軸の側方にあたる位置にお香軸を受ける支柱を配置したもので、移動保持具と支柱によってお香軸を挟むものである。
支柱は、お香軸を横から支えるために縦溝が切られており、上に載せる球のサイズに適合する補足柱と同様の下支え部分を備えている。
この下支え部分を可動にすると、さまざまなサイズの球が適切に使用出来る。
【０１１７】
図２３は、お香軸に向かって下向きに傾斜する傾斜面の上に、傾斜を転がり下りることのできる不定形の移動保持具を配置したものである。斜面を転がり、お香軸を支柱に向かって押しつけることができれば、移動保持具の形態は自由である。
【０１１８】
次に、図２４〜図２７について述べる。
【０１１９】
図２４〜図２７は、主に請求項２にあたる、お香を立てる位置に磁石を配置し、その上に保持具として３個以上の球状の強磁性体を配置した保持台を、据置型の香炉に配置したものである。
【０１２０】
図２４〜図２７において、
９９は、お香軸である。
１は、保持台である。
２ は、保持台に配置された磁石である。
３ は、移動保持具である。
１３は、香炉である。
１４は、香炉の蓋部である。
１５は、 火屋である。
【０１２１】
図２４は、図１の保持台等を横置きに配置した香炉の斜視図であり、舟型の香炉の上に、請求項２の保持台を水平に配置したものである。
お香軸が水平であり、燃えた後の灰は下に落ちるので、移動保持具や磁石は灰を被ることがなく、新しいお香を交換するのにも、香炉を据え置きのままで、上から操作ができるものである。
【０１２２】
図２５は、蓋の裏側に、図１の保持台を配置した香炉の斜視図である。
香炉１３には蓋部１４を設け、蓋部に図１の保持台を配置したもので、使用時は倒置されることになる。お香の燃えたあとの灰はそのまま下に落ちる構造である。
【０１２３】
図２６は、同香炉蓋の斜視図であり、蓋を反転した様子を示すもので、お香の交換が簡単にでき、据置型の本体は移動する必要がないものである。
【０１２４】
図２７は、図１の保持台等を配置し、上に火屋を被せた香炉の一部切断斜視図である。これは保持台を香炉１３の上に配置し、その上に火屋を被せたもので、火屋を外すことで、お香の交換は上から行うことができるものである。
【０１２５】
次に、図２８〜図３０について述べる。
図２８、図３０において、
９９は、お香軸である。
２ は、保持台に配置された磁石である。
３ は、移動保持具である。
９は、お香軸に向かって下向きに傾斜する皿状の傾斜面である。
１２ は、補足柱である。
１６ は、お香保持台である。
１７ は、着座部である。
【０１２６】
図２８は、お香保持台に磁石もしくは強磁性体を設けた、請求項９、請求項１０に対応するもので、図２８は磁石を設けたものである。移動保持具は径６ｍｍ程度の鉄球であれば、市販のものが使用出来る。
図２９、図３０は、請求項１１〜請求項１２に対応するもので、図２９は斜視図、図３０は、同断面図である。傾斜面の底部には平坦な着座部があり、その中央には補足柱がある。補足柱は可動式であったほうが移動保持具のサイズに対応することができ、挟みしろも小さくできる。
【０１２７】
請求項１３は、図１７から移動保持具を除いたもの。請求項１４は、図２０、図２１、図２２から移動保持具を取り除いたものとほぼ同様である。
【産業上の利用可能性】
【０１２８】
本発明に関わるお香立ては、工業的に量産することが可能なので、産業上の利用可能性を有する。
【図面の簡単な説明】
【０１２９】
図は、移動保持具をお香軸の周辺に集めるために、１．磁力、２．重力落差という二つの異なる方法をとることにより、大きく２つに分かれる。さらにこのお香立てを配置した香炉、およびお香保持台についても図示する。
【０１３０】
図１〜図１５までが、磁石を利用する方法であり、図１６〜図２３が重力落差を利用する方法、図２４〜２７が香炉の図、図２８〜３０はお香保持台の図、図３１〜３３が従来例を示すものである。
【０１３１】
図では裏面に隠れて見えない部分を点線で表示した。また、一部内部を見せるためにカットしたものもある。
【０１３２】
【図１】保持台に配置された磁石の上に、お香軸と、移動保持具として４つの球状の強磁性体を配置した斜視図。
【図２】同平面図。
【図３】保持台に配置された磁石の上に、お香軸と、移動保持具として７つの球状の強磁性体を配置した斜視図。
【図４】Ａは同平面図。Ｂは同平面図に、追加された６個の球状の強磁性体を配置した平面図。
【図５】Ａは保持台に配置されたリング状磁石の上に、移動保持具として６個の球状の強磁性体を配置した平面図。Ｂは同平面図であり、移動保持具でお香軸を挟んだ状態を示す平面図。
【図６】保持台に配置された磁石の上に、お香軸と２個の不定形の強磁性体を配置した斜視図。
【図７】保持台に配置された強磁性体の上に、お香軸と４個の球状の磁石を配置した斜視図。
【図８】保持台に配置された強磁性体の上に、お香軸と２個の不定形の磁石を配置した斜視図。
【図９】Ａは保持台に球形の強磁性体を載せ、その上に配置された４個の球状の磁石でお香軸を挟んで立てた斜視図。Ｂは燃え残りのお香軸を排出するため、４個の球状磁石を直角に引き起こした状態の斜視図。
【図１０】Ａは球状の強磁性体の上に、４個の球状磁石を単純に置いた状態の平面図。Ｂは同上図で、球状磁石の先端を再び球状の強磁性体にくっつけた平面図。
【図１１】Ａは同上図で、４個の球状磁石のうち、球状の強磁性体にくっついた２個を、接触させた平面図。Ｂは同上図で、４個の球状磁石すべてを互いに接触させた平面図。Ｃは同上図で、４個の球状磁石の間にお香軸を差し込んだ状態の平面図。
【図１２】保持台に磁石を配置し、その上部に支柱を配置し、支柱と １個の球状の強磁性体でお香軸を挟んだ斜視図。
【図１３】保持台に磁石を配置し、その上部に支柱を配置し、支柱と １個の不定形の強磁性体を含む物体でお香軸を挟んだ斜視図。
【図１４】球状の磁石４個でお香軸を挟んだ斜視図。
【図１５】不定形状の磁石２個でお香軸を挟んだ斜視図。
【図１６】お香軸に向かって下向きに傾斜する皿状の傾斜面を配置した保持台の上の移動保持具でお香軸を挟んだ斜視図。
【図１７】お香軸に向かって下向きに傾斜する３つの傾斜レールを配置した保持台の上の３個の移動保持具でお香軸を挟んだ斜視図。
【図１８】お香軸に向かって先が開いた形の３つのレールを配置した保持台の上の、３個の移動保持具でお香軸を挟んだ斜視図。
【図１９】お香軸に向かって先が開いた形の３つのレールを配置した保持台の上の、３個の中央が太い回転体でお香軸を挟んだ斜視図。
【図２０】お香軸に向かって下向きに傾斜する面を備えた保持台上の移動保持具と支柱でお香軸を挟んだ斜視図。
【図２１】お香軸に向かって先が開いた形状のレール上の移動保持具と支柱でお香軸を挟んだ斜視図。
【図２２】お香軸に向かって先が開いた形のレール上の両端が細い回転体と支柱でお香軸を挟んだ斜視図。
【図２３】お香軸に向かって下向きに傾斜するレール上の不定形状の移動保持具と支柱でお香軸を挟んだ斜視図。
【図２４】図１の保持台等を横置きに配置した香炉の斜視図。
【図２５】蓋の裏側に、図１の保持台等を配置した香炉の斜視図。
【図２６】同香炉蓋の斜視図。
【図２７】図１の保持台等を配置し、上に火屋を被せた香炉の一部切断斜視図。
【図２８】お香を立てる位置に磁石を配置したお香保持台の中央部断面図。
【図２９】お香を立てる位置に、着座部を設け、着座部に向かって、下向きに傾斜する傾斜面を設けたお香保持台の斜視図。
【図３０】お香を立てる位置に、着座部、および補足柱を設け、着座部に向かって、下向きに傾斜する傾斜面を設けたお香保持台の、中央部断面図。
【図３１】従来例、円盤に穴を開けたお香立て。
【図３２】従来例、厚い円盤に穴を開けたお香立て。
【図３３】従来例、皿に斜めに傾けて穴を穿ったお香立て。
【符号の説明】
【０１３３】
１    保持台
２    保持台に配置された磁石
３    移動保持具
４    追加された移動保持具
５     保持台に配置されたリング状磁石
６     保持台に配置された支柱
７    支柱周辺に配置された強磁性体
８    保持台に配置された強磁性体
９    お香軸に向かって下向きに傾斜する皿状の傾斜面
１０  お香軸に向かって下向きに傾斜する傾斜面
１１  お香軸に向かって先が開いた形のレール
１２  補足柱
１３  香炉
１４  香炉の蓋部
１５  火屋
１６  お香保持台
１７  着座部
９８  従来例のお香立て
９９  お香軸
【図１】
2007054331.tif 000003
【図２】
2007054331.tif 000004
【図３】
2007054331.tif 000005
【図４】
2007054331.tif 000006
【図５】
2007054331.tif 000007
【図６】
2007054331.tif 000008
【図７】
2007054331.tif 000009
【図８】
2007054331.tif 000010
【図９】
2007054331.tif 000011
【図１０】
2007054331.tif 000012
【図１１】
2007054331.tif 000013
【図１２】
2007054331.tif 000014
【図１３】
2007054331.tif 000015
【図１４】
2007054331.tif 000016
【図１５】
2007054331.tif 000017
【図１６】
2007054331.tif 000018
【図１７】
2007054331.tif 000019
【図１８】
2007054331.tif 000020
【図１９】
2007054331.tif 000021
【図２０】
2007054331.tif 000022
【図２１】
2007054331.tif 000023
【図２２】
2007054331.tif 000024
【図２３】
2007054331.tif 000025
【図２４】
2007054331.tif 000026
【図２５】
2007054331.tif 000027
【図２６】
2007054331.tif 000028
【図２７】
2007054331.tif 000029
【図２８】
2007054331.tif 000030
【図２９】
2007054331.tif 000031
【図３０】
2007054331.tif 000032
【図３１】
2007054331.tif 000033
【図３２】
2007054331.tif 000034
【図３３】
2007054331.tif 000035
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
強磁性体を磁力中心に引き付ける構造を備えた保持台と、前記保持台の上に配置された、複数の移動保持具とが、協働して、棒状のお香を挟み保持するお香立てであって、
前記保持台は、お香軸を定位置に位置決めする位置に磁石を配置したものであり、
前記移動保持具は、前記磁石上面に配置された、強磁性体からなる、３個以上の球状回転体であり、
磁力によって前記移動保持具が移動したとき、
前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項２】
請求項１において、
前記保持台は、お香軸を定位置に位置決めする位置にリング状磁石を配置したものであることを特徴とする、
請求項１記載のお香立て。
【請求項３】
強磁性体を磁力中心に引き付ける構造を備えた保持台の上に配置された移動保持具と、保持台の上に配置された支柱が協働して、棒状のお香を挟み保持するお香立てであって、
前記保持台は、移動保持具の側に向かって開口したＶ溝を持つ支柱を配置し、
該支柱下部に強磁性体を配置したものであり、
前記移動保持具は、前記強磁性体上に配置された、強磁性体からなる球状回転体であり、
前記保持台に配置された前記強磁性体と、前記移動保持具である前記強磁性体のうち少なくとも一つは磁石であることにより、
磁力によって前記移動保持具が移動したとき、
前記支柱のＶ溝と前記移動保持具の中央にできる空間が、棒状のお香軸の直径より小さくなるように構成し、その空間にお香軸を押し込むことによって、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項４】
請求項３において、
前記保持台は、移動保持具の側に向かって開口したＶ溝を持つ支柱を配置し、該支柱下部に磁石を配置したものであることを特徴とする、
請求項３記載のお香立て。
【請求項５】
強磁性体を磁力中心に引き付ける構造を備えた保持台の上に配置された移動保持具と、保持台の上に配置された支柱が協働して、棒状のお香を挟み保持するお香立てであって、
前記移動保持具は、磁石に接触配置した強磁性体からなる球状回転体であり、
前記保持台は、移動保持具の側に向かって開口したＶ溝を持つ支柱を配置したものであり、前記移動保持具が前記磁石の磁力中心に回転移動したとき、前記支柱のＶ溝と前記移動保持具の中央にできる空間が、棒状のお香軸の直径より小さくなる位置に磁石を配置するように構成されたものであり、
前記空間にお香軸を押し込むことによって、お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項６】
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜する傾斜面を持ち、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項７】
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜し、前記移動保持具がそれぞれ一つずつ配置される数の傾斜レール状斜面を組み合わせて配置したものであり、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項８】
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の球状回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項９】
請求項８において、
前記移動保持具が３個以上の両端の細い回転体であることを特徴とする、
請求項８記載のお香立て。
【請求項１０】
請求項６、請求項７、請求項８、請求項９において、
前記保持台は、お香軸の立つ位置に、頂部の高さが移動保持具とお香軸の接点より下になるように構成された、お香軸を下から支えるための、補足柱を持つものであることを特徴とする、
請求項６、請求項７、請求項８、請求項９記載のお香立て。
【請求項１１】
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、両端の細い回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項１２】
請求項１１において、
前記移動保持具が、球状回転体であることを特徴とする
請求項１１記載のお香立て。
【請求項１３】
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、下向きに傾斜する面を持つものであり、
前記移動保持具は、前記傾斜面上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項１４】
請求項１１、請求項１２、請求項１３において、
前記保持台は、支柱部のお香軸の立つ位置に、頂部の高さが移動保持具とお香軸の接点より下になるように構成された、お香軸を下から支えるための、下支え部を持つものであることを特徴とする、
請求項１１、請求項１２、請求項１３記載のお香立て。
【手続補正２】
【補正対象書類名】明細書
【補正対象項目名】全文
【補正方法】変更
【補正の内容】
【発明の詳細な説明】
【技術分野】
【０００１】
この発明は、お香立て、お香保持具、およびお香保持台に関するものである。
【背景技術】
【０００２】
本発明が目的とするお香は、薫香用の径３．０ｍｍ程度、長さ８０ｍｍ〜１００ｍｍ程度の棒状のものであり、燃焼時に燃焼面積が変化しないため、安定的に薫香が焚けるものであるが、単なる棒状であるので、燃焼させるためには、立てなければならないものである。
【０００３】
現在市販されているこれら薫香用に使われるお香立ては、図３１に示したように厚さ約３ｍｍ、径約２０ｍｍ程度で、中央に径３ｍｍ程度の穴をあけた円盤を皿の上に置き、そこにお香をまっすぐに立てるもの、図３２のように、厚さを１０ｍｍ程度にしたもの、あるいは図３３に示したように、皿状で、直接径３ｍｍ程度の穴を穿ち、お香をまっすぐに、あるいは傾けて立てるように構成したものなどである。
【０００４】
前記円盤状のものは、穴の径を大きくすると、お香はまっすぐには立たなくなり、まっすぐに立てるためには、図３２に示したように、円盤の厚みを増す必要があるが、厚みを増すと燃え残りが多くなってしまうし、まっすぐに立つとは言っても、実際には不安定でぐらぐらするものであった。
【０００５】
また、穴の径を小さくしすぎると、径が少しでも大きいお香は入らなくなり、また穴とのすき間が減るため、燃え残りを排除しにくくなるという関係があった。
【０００６】
皿の上に置いた前記円盤では、燃焼が終ると、穴の内部には燃え残りが残ってしまい、燃え残りを排除し、新しいお香を立てるためには、灰のたまった皿の上から一度、薄い円盤を手で拾い上げる必要があり、灰によって手が汚れ、またお香を１本焚くごとに面倒な処理が必要で手間がかかるなどの欠点があった。
【０００７】
また、仮に敷き詰められた灰の上に、前記円盤状のお香立てを置いて使用すると、お香を立てる時、灰の中にまでお香が入ってしまい、燃え残りが多くなるという欠点があった。
【０００８】
前記皿状で、穴を穿ってあるものでは、燃え残りが常に穴の底に残るので、１本のお香を焚くたびに、燃え残りを排出し捨てるために、皿を反転させる必要があった。
【０００９】
前記円盤状のお香立てが、燃え残りを少なくするため、薄く作られていること、前記皿状のものであっても、お香を１本焚くごとに、いちいち皿を持ち上げて燃え残りを捨てるために皿を移動する必要があるため、ともに軽量に作られる傾向があり、以上の軽く薄いという特徴から、これらのお香立ては一時しのぎ的、簡略版的なイメージが強く、床の間飾りに使用できるような重厚な香炉は設計が困難であった。
【００１０】
これらの諸問題点を解決するのに、
特許公開２００３−２３５７１５号公報、および特許公開２００１−３４０２０５号公報は、お香が完全に燃えてしまうとしたものであるが、完全に燃えたとしても灰は必ず残るので、それを捨てるためには、お香立てを灰の中から拾い上げ、反転させて灰を捨てねばならない。
【００１１】
登録実用新案第３０４８７０６号、特許公開平９−１３５７６８号は、水晶の粒状体、ステンレス粒などを入れた香炉であるが、本発明のように球などを単層で幾何学的に配置するのとは異なり、器の中に何層にも重ねて配置するものであり、燃え残りが非常に多く出るし、一本ごとの燃え残りの排除を考慮に入れたものではない。
【００１２】
特許公開平１０−４３０３６号は、積層マットを用いたもの、実用新案公開平５−１３８６号は、バネの弾性を使って保持する構造のものであるが、いずれもお香のサイズの変化に十分対応出来ているとはいえない。
【００１３】
実用新案公開平７−２５８８８号は、テーパ状のすきまにお香軸を挟むものであり、実用新案公開平７−３０８６１号は、テーパ構造の上にくさびを差し込んだものであるが、
ともにお香を立てる時には、一度お香立てを取り上げて組みつける必要があり、特許公開平１１−２２５８７４は、お香台にスライドを設けたものであるが、いずれもワンタッチでお香を立てることはできない。
【００１４】
本願発明に関する公知技術として次の特許文献１〜９をあげることができる。
【００１５】
【特許文献１】特許公開２００３−２３５７１５
【特許文献２】特許公開２００１−３４０２０５
【特許文献３】登録実用新案第３０４８７０６
【特許文献４】特許公開平９−１３５７６８
【特許文献５】特許公開平１０−４３０３６
【特許文献６】実用新案公開平５−１３８６
【特許文献７】実用新案公開平７−２５８８８
【特許文献８】実用新案公開平７−３０８６１
【特許文献９】特許公開平１１−２２５８７４
【発明の開示】
【発明が解決しようとする課題】
【００１６】
本発明は、お香の挟みしろを小さくすることで燃え残りを少なくし、かつお香立てを据え置きしたまま、手を汚さずに燃え残りを簡単に排除でき、次のお香が容易に、かつしっかりと立てられるようなお香立てを課題とする。
同時に、前記お香立てを配置した重厚なイメージの据置型の香炉を課題とする。
【００１７】
本発明の前記ならびにそのほかの目的と新規な特徴は、次の説明を添付図面と照らし合わせて読むと、より完全に明らかとなるであろう。
ただし、図面はもっぱら解説のためのものであって、本発明の記述的範囲を限定するものではない。
【課題を解決するための手段】
【００１８】
上記目的を解決するために、請求項１は、
強磁性体を磁力中心に引き付ける構造を備えた保持台と、前記保持台の上に配置された、複数の移動保持具とが、協働して、棒状のお香を挟み保持するお香立てであって、
前記保持台は、お香軸を定位置に位置決めする位置に磁石を配置したものであり、
前記移動保持具は、前記磁石上面に配置された、強磁性体からなる、３個以上の球状回転体であり、
磁力によって前記移動保持具が移動したとき、
前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００１９】
請求項２は、
請求項１において、
前記保持台は、お香軸を定位置に位置決めする位置にリング状磁石を配置したものであることを特徴とする、
請求項１記載のお香立てである。
【００２０】
請求項３は、
強磁性体を磁力中心に引き付ける構造を備えた保持台の上に配置された移動保持具と、保持台の上に配置された支柱が協働して、棒状のお香を挟み保持するお香立てであって、
前記保持台は、移動保持具の側に向かって開口したＶ溝を持つ支柱を配置し、
該支柱下部に強磁性体を配置したものであり、
前記移動保持具は、前記強磁性体上に配置された、強磁性体からなる球状回転体であり、
前記保持台に配置された前記強磁性体と、前記移動保持具である前記強磁性体のうち少なくとも一つは磁石であることにより、
磁力によって前記移動保持具が移動したとき、
前記支柱のＶ溝と前記移動保持具の中央にできる空間が、棒状のお香軸の直径より小さくなるように構成し、その空間にお香軸を押し込むことによって、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２１】
請求項４は、
請求項３において、
前記保持台は、移動保持具の側に向かって開口したＶ溝を持つ支柱を配置し、該支柱下部に磁石を配置したものであることを特徴とする、
請求項３記載のお香立てである。
【００２２】
請求項５は、
強磁性体を磁力中心に引き付ける構造を備えた保持台の上に配置された移動保持具と、保持台の上に配置された支柱が協働して、棒状のお香を挟み保持するお香立てであって、
前記移動保持具は、磁石に接触配置した強磁性体からなる球状回転体であり、
前記保持台は、移動保持具の側に向かって開口したＶ溝を持つ支柱を配置したものであり、前記移動保持具が前記磁石の磁力中心に回転移動したとき、前記支柱のＶ溝と前記移動保持具の中央にできる空間が、棒状のお香軸の直径より小さくなる位置に磁石を配置するように構成されたものであり、
前記空間にお香軸を押し込むことによって、お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２３】
請求項６は、
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜する傾斜面を持ち、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２４】
請求項７は、
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜し、前記移動保持具がそれぞれ一つずつ配置される数の傾斜レール状斜面を組み合わせて配置したものであり、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２５】
請求項８は、
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の球状回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２６】
請求項９は、
請求項８において、
前記移動保持具が３個以上の両端の細い回転体であることを特徴とする、
請求項８記載のお香立てである。
【００２７】
請求項１０は、
請求項６、請求項７、請求項８、請求項９において、
前記保持台は、お香軸の立つ位置に、頂部の高さが移動保持具とお香軸の接点より下になるように構成された、お香軸を下から支えるための、補足柱を持つものであることを特徴とする、
請求項６、請求項７、請求項８、請求項９記載のお香立てである。
【００２８】
請求項１１は、
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、両端の細い回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２９】
請求項１２は、
請求項１１において、
前記移動保持具が、球状回転体であることを特徴とする
請求項１１記載のお香立てである。
【００３０】
請求項１３は、
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、下向きに傾斜する面を持つものであり、
前記移動保持具は、前記傾斜面上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００３１】
請求項１４は、
請求項１１、請求項１２、請求項１３において、
前記保持台は、支柱部のお香軸の立つ位置に、頂部の高さが移動保持具とお香軸の接点より下になるように構成された、お香軸を下から支えるための、下支え部を持つものであることを特徴とする、
請求項１１、請求項１２、請求項１３記載のお香立てである。
【発明の効果】
【００３２】
本発明は、請求項１〜請求項１４のお香立てからなり、
前記お香立ては、棒状のお香を立てるために、保持台と移動保持具でお香軸を保持し、立てることを特徴としている。
その方法として、前記移動保持具をお香軸の周辺に集めるための力として、１．磁力、２．重力落差という二つの方法を用いている。
さらにそれぞれ、お香軸の側方にあたる位置にお香軸を受ける支柱を配置し、お香を支柱と移動保持具とで挟むことでお香を保持しているものが含まれている。
【００３３】
【００３４】
以上、いずれの方法においても、お香の軸の周辺には前記球状、あるいは前記不定形状の物体が寄り集まり、お香の軸を適度な強さで挟み込み、軸を保持し、かつ必要な時、簡単に挟み込みを開放し、燃え残りを簡単に排除することが可能となる。
以下請求項ごとに効果を述べるが、まず、請求項１〜請求項２の保持力が磁力によっているものについて述べる。
【００３５】
請求項１、請求項２は、お香の中心軸の下に磁石を配置し、お香軸の周囲には、球状であり、内部に強磁性体を含んでいる複数個の移動保持具が配されている。
【００３６】
【００３７】
（１-１）請求項１、請求項２は、上記の構成をとることにより、磁石と強磁性体が、磁力によって互いに引き寄せ合うことで、お香の中心軸に向かって移動保持具が吸い寄せられ、移動保持具がお香軸の周囲に移動し、周囲からお香を挟み立て保持するものであり、様々な太さのお香をしっかりと立てることができる。
【００３８】
請求項３は、お香軸の側方にあたる位置に支柱を備え、支柱、また支柱周辺に配置された強磁性体と、移動保持具のうち少なくとも１つは磁石を含んでいることにより、磁力によって支柱と移動保持具が互いに引き寄せ合う構造になり、上記（１-１）と同様に、様々な太さのお香をしっかりと立てることができる。
【００３９】
（１-２）請求項１〜請求項５では容易にその移動保持具の一部を移動もしくは自転させ、簡単に挟み込みを解除出来るので、燃え残りを捨てる際にも、お香立てを反転させたり、お香立ての台を拾い上げたりしなくともよく、手を灰で汚すことなく、お香立てを据え置きのまま容易に燃え残りが排除でき、新しいお香をワンタッチで立てることができる効果がある。
【００４０】
（１-３）構造的にもシンプルで、ゴミなどを挟み込む余地もないため、壊れにくい。また、バネを利用していないので、バネの折損がない。また、ネジ部や、固定した回転軸を持たないので、摩耗部分がなく、すべりが悪くなったり固着したりということもないという効果がある。
【００４１】
（１-４）移動保持具のサイズを小さくする、あるいはお香軸を下から支え高さ調節をする補足柱を備えることにより、挟みしろが減ることになり、燃え残りが少なくなるという効果がある。
【００４２】
（１-５）バネやゴムや樹脂、繊維などの弾性体では、お香軸の径の大小によって締めつける力に変化が起こり、大きな径のものを長く挟んでいるとクセがついて、次に小さな径のものを挟む力が弱まる傾向があるが、前記磁力による締めつけ力は、お香の径の大小にあまり影響されないという効果がある。
【００４３】
（１-６）また、お香軸の根元に球が整列するという幾何学的なデザインとなり、主に金属球を使うので、メタリックで美麗な外観を備えるという効果がある。
【００４４】
（１-７）保持台に配置された磁石、強磁性体、また移動保持具である磁石や強磁性体は半永久的にその引き寄せ合う力を保持する。特に、劣化しやすいゴムや樹脂、繊維などの弾性体を使用していないので経年変化がないという効果がある。
【００４５】
（１-８）お香の軸は磁石の力でしっかりと保持されているので、お香立てを自由な角度に傾けて配置することができる。例えば角度を付けたり、あるいは上下を逆に、つまり軸を下向きに設置することも可能であるという効果があり、さらに、これらの場合は、灰が保持台や移動保持具の上に落ちないという効果がある。
保持台、またはその一部を球状にし、その上に磁石あるいは強磁性体を載せたものでは、お香を立てる角度、方向が自由に調整できるという効果がある。
【００４６】
（１-９）灰や燃え残りを捨てるために、保持台を反転する際にも回転体は磁石に貼り付いたままなので、小さな保持具が失われることもなく、灰や燃え残りをたいへん捨てやすいという効果がある。
【００４７】
【００４８】
【００４９】
請求項６〜請求項１４は、前記請求項１〜請求項５とは異なり、磁力を使わず、もっぱら重力落差を利用するものである。次にこの方式を用いたものの効果を述べる。
【００５０】
（４-１）請求項６〜請求項１４において、移動保持具は比重の大きいものが望ましいが、それ以外特に素材を選ばないので、例えばガラスでも透明のものから色や模様のついたもの、表面もつるつるしたものから若干の起伏を持ったもの、あるいはかなり変形したものまで様々なデザインのものを使える。そのほか、各種金属、大理石、貴石のほか、木材、セラミック、耐熱樹脂まで様々な素材を使うことができ、デザインの幅が広いという効果がある。
【００５１】
（４-２）バネやゴムや樹脂、繊維などの弾性体では、お香軸の径の大小によって締めつける力に変化が起こり、大きな径のものを長く挟むんでいるとクセがついて、次に小さな径のものを挟む力が弱まる傾向があるが、傾斜構造の上に置かれた回転体の締めつけ力は、お香の径の大小にまったく依存しないという効果がある。
【００５２】
（４-３）また、前記移動保持具は最低３個の移動保持具が保持台の上にのっているだけなので、清掃も簡単である。
【００５３】
（４-４）その他、前記（１-１）〜（１-４）と同様の効果がある。
【００５４】
（５）上記以外で請求項ごとに効果をあげると、
請求項６は、お香軸に向かって下向きに傾斜する傾斜面に、球状の保持具を配置するもので、保持具は傾斜面の底に向かって転がり、互いにぶつかり合いながらバランスをとり、やがて幾何学的に美しく整列し、静止する。このオブジェ的な動きを見て視覚的にも楽しむことができるという効果がある。
【００５５】
（６）請求項７〜請求項１０は、お香軸に向かって下向きに傾斜する１つ以上の傾斜面、またはお香軸に向かって先が開いた形状のレールを配置することで、移動保持具の案内部を形成することができ、お香軸に対する移動保持具の接触角度が正確になるため、均等に挟むことができる効果がある。
【００５６】
（７）請求項１１〜請求項１４は、お香軸の側方にあたる位置にお香軸を受ける支柱を配置することにより、移動保持具の数を減らし、移動保持具のサイズをあまり選ばす、簡単にかつ安価に構成出来るという効果がある。
【００５７】
【発明を実施するための最良の形態】
【００５８】
以下、本発明を実施するための最良の形態を、図面に基づき詳細に説明する。
前記発明の効果で示したように、保持具をお香軸の周辺に集めるために、１．磁力、２．重力落差という二つの異なる方法を取るため、最良の形態も大きくこの２つに分かれることになる。さらにこのお香立てを配置した香炉、およびお香保持台についても図示する。
【００５９】
図１〜図１５までが、磁石を利用する方法であり、図１６〜図２３が重力落差を利用する方法、図２４〜２７が香炉の図、図２８〜図３０はお香保持台の図である。
【００６０】
これらの本発明を実施するための異なる形態の説明にあたって、同一構成部分には同一符号を付して重複する説明を省略する。
【００６１】
また、斜視図あるいは平面図において、前面の物体によりその奥が見えない場合、前面の物体に隠された部分を点線、あるいは一部カットして表現した。また、説明の繁雑を避けるため、移動保持具を単に球と表現している場合がある。
【００６２】
まず、保持台に磁石が配置されている請求項１、請求項２について述べる。
対応する図は、図１〜図６である。
【００６３】
図１〜図６において、
９９は、お香軸である。
１ は、保持台である。
２ は、保持台に配置された磁石である。
３ は、移動保持具である。
４ は、追加された移動保持具である。
５は、台に配置されたリング状磁石である。
【００６４】
お香の軸の根元円周上に球を配置することによって、お香軸をまっすぐに立てるためには、お香の軸の同円周上に少なくとも３つ以上の接点が必要となる。
【００６５】
球の数が３個以上の場合はこれを十分に満たしているが、球を軸の根元周囲に並べて幾何学的に美しく整列させるためには、球の個数とそのサイズとの間にはある程度決まりがある。
【００６６】
ここで目的とするお香のサイズは直径２．８ｍｍ程度で、長さ約８０ｍｍから１００ｍｍである。一例をあげて説明する。
お香の直径を２．８ｍｍとし、これを３個の球によって軸周囲を囲むとすると、その球の直径の上限は１７．６ｍｍ程度であり、締めつける余裕や、径の若干小さいものを挟むことを考慮に入れると球のサイズは約１２ｍｍから１５ｍｍ程度が適当である。ただし、このサイズでは、お香軸と球の接点が、台から６〜７．５ｍｍあたりになってしまうので、お香軸を下から支えるため補足柱を備える必要がある。
【００６７】
磁石の上の４個の球で挟むとすると、その上限は６．８ｍｍ程度、５個の場合３．９ｍｍ程度、６個の場合２．８ｍｍ程度であり、締めつける余裕を含めると、それぞれ５ｍｍ程度、３ｍｍ、２ｍｍ程度、が実用域となるが、５ｍｍ以下の球の場合、球とお香軸の接点は軸端から２．５ｍｍ以下となるので補足柱は必要ない。
【００６８】
図１は、保持台に配置された磁石の上に、 お香軸と、移動保持具として４つの球状の強磁性体を配置した斜視図であり、図２は同平面図である。
【００６９】
図１では、保持台には、直径１０ｍｍの円柱形ネオジウム磁石が埋めこまれており、磁石の磁界は、表面に出ている部分がＮまたはＳである。
磁石の上部には移動保持具として、４個の直径５ｍｍの強磁性体である鉄を主成分とした球が配置されている。
【００７０】
磁石の上に１つの強磁性体の球を載せたとすると、１つの球は磁力の中心である磁石の中心におさまるが、球の数を２個、３個と増やすと、球は互いに牽制し合い、幾何学的に安定な位置に動こうとする。
図１では４個の直径５ｍｍの強磁性体の球が配置され、すべての球が磁石の端部より内側で磁石に接しているが、互いに散らばってしまうほど磁石の径は大きくはないので、球は、磁石に引きつけられながらも互いに反発しあい、幾何学的に安定した状態に移動する。
【００７１】
球と磁石との接点は１点であるが、形が球状であるため、磁石から球を引き離す力の数十分の一の力で、球は自由回転したり、磁石上を平行移動したりすることができる。この状態で球の中央にお香軸を差し込むと、球は自転しながら場所を空け、お香軸を挟み込むことができる。
【００７２】
お香の火が消えた場合、燃え残りは球の配列の中に残っているが、球は自転することができ、移動するのもスムーズであるので、新しいお香軸の先端で触れると、燃え残りを簡単に排除することができる。また、球は強力な磁石に吸引されているので、逆さまに傾けても離れることがないので灰や燃え残りの清掃はごく簡単である。
【００７３】
図３は、保持台に配置された径６ｍｍの円柱形磁石の上に、 お香軸と、移動保持具として径２ｍｍの７つの球を配置した斜視図、図４-Ａは、同平面図、図４-Ｂは、前記平面図に、追加された７個の球を配置した平面図である。
【００７４】
図３、図４で磁石は径が６ｍｍであるが、球の直径の方がお香軸の直径より小さいので、球はより安定した３個ずつの集合体になりたがり、ついにはお香の軸の入るべき場所に転がりこむことがある。それを避けるには、図４-Ｂのように７個の球の場合、１列目の７個の配列の外に、さらに２列目の７個の球を上から見て星型になるように配置し、外郭がそれぞれ３個ずつの集合になるようにしてやると安定度は増す。
【００７５】
図３、図４で、球の径を２ｍｍとした場合、挟みしろが小さいので、燃え残りは約２．４ｍｍ程度と極めて小さくなる。
【００７６】
図５-Ａは、保持台に配置された径５ｍｍ、内径２．４ｍｍのリング状磁石の上に、移動保持具として径２ｍｍ、６個の球状の強磁性体を配置した平面図であり、図５-Ｂは、中心にお香軸を差し込んだ場合の平面図であり、６個の球が外に向かって移動し、お香軸を挟み込んだ様子を示すものである。
リング状の磁石によって球は磁石のリング円周の上に安定して配置され、お香軸がない状態でも、図５-Ａの状態で安定する。また、磁石またはリング状磁石の上面に、中心に向かって下向きの傾斜がある形態でもさらなる安定が得られる。
【００７７】
図１〜図５ではお香に直接接する球が４個と７個、６個のものをとりあげたが、同様に３個、５個、７個、８個、９個、１０個、さらにそれ以上の球による配列も可能である。
実施例をあげると、
円柱形磁石：径１０ｍｍの上に４個の直径５ｍｍの球。
円柱形磁石：径９ｍｍの上に４個の直径４ｍｍの球。
円柱形磁石：径７ｍｍの上に５個の直径３ｍｍの球。
円柱形磁石：径６ｍｍの上に６個の直径２ｍｍの球。
リング状磁石：外径１２ｍｍ、内径８ｍｍの上に３個の直径１５ｍｍの球。
リング状磁石：外径１０ｍｍ、内径６ｍｍの上に３個の直径６ｍｍの球。
リング状磁石：外径８ｍｍ、内径４ｍｍの上に４個の直径５〜４ｍｍの球。
リング状磁石：外径６ｍｍ、内径３ｍｍの上に５個の直径３ｍｍの球。
リング状磁石：外径５ｍｍ、内径２．４ｍｍの上に６個の直径２ｍｍの球。
などが可能である。
【００７８】
小さな球の場合、球の個数の増減によってお香の軸のサイズの変化に対応することができるが、球のサイズはせいぜい２ｍｍ程度、径２．８ｍｍのお香軸では多くとも６〜７個程度が適切であろう。
【００７９】
図６は、保持台に配置されたネオジウム磁石の上に、移動保持具として、２個の不定形状の強磁性体を置いたもので、それらが磁力により引き寄せ合い、お香の軸を挟むものである。不定形状ではあっても、磁石との接点が点状になるように、部分的であれ球状の曲面を備えたもののほうが、回転や移動が簡単で、お香軸を挟みやすい。
【００８０】
【００８１】
図７〜図１１において、
９９は、お香軸である。
１ は、保持台である。
３ は、移動保持具である。
８ は、保持台に配置された強磁性体である。
【００８２】
図７は、保持台に鉄からなる強磁性体の円柱を埋めこみ、その上に移動保持具として径５ｍｍの球状のネオジウム磁石を置いたものであり、機能としては前記請求項２とほぼ同様である。
【００８３】
図８は、保持台に鉄からなる強磁性体の円柱を埋めこみ、その上に移動保持具として不定形状のネオジウム磁石を置いたものであり、機能としては、前記図６とほぼ同様である。
【００８４】
図９〜図１１は、台の上に径１５ｍｍの鉄球を置き、その上にすべてが径５ｍｍである球状のネオジウム磁石４個を配置したものである。この配置手順について以下に詳細に述べる。
【００８５】
図９-Ａは、保持台に球形の強磁性体を載せ、その上に配置された４個の球状の磁石でお香軸を挟んで立てた斜視図である。
適度な窪みを持つ台の上に置かれた球形の物体は、自由な角度に傾けることが出来るため、お香軸を好きな角度に保つことができる。
【００８６】
図９-Ｂは、燃え残りのお香軸を排出するため、４個の球状磁石を直角に引き起こした状態の斜視図である。
【００８７】
図１０-Ａ〜図１１-Ｃは、前記図９-Ａの状態に至る操作手順を図示したものである。
図１０-Ａは、前記球状の強磁性体である鉄球の上に単純に径５ｍｍの球状のネオジウム磁石を置いたもので、磁石球は互いに引き合いながら、反発し、一直線状に立ち上がる。
【００８８】
図１０-Ｂは、同上図で、一直線状になった磁石球の先端部を鉄球に押し戻した図であり、磁石球は半円弧を描いて再び鉄球に強く貼り付くことになる。
【００８９】
図１１-Ａは、同上図で、鉄球に貼り付いた磁石球２つを指でくっつけた図である。磁石球はそのうち２つが鉄球に強く貼り付いているが、反発力も発生していて、鉄球からは弾かれたように立ち上がった形になっている。
【００９０】
図１１-Ｂは、同上図で、鉄球に貼り付いたままの磁石球４個を指で直角に押し倒した図である。磁石球４個は、すべてが鉄球に貼り付くが、磁石球は鉄球の上を滑るように動く状態になる。
【００９１】
図１１-Ｃは、同上図で、４個の磁石球の中央にお香軸を押し込んだ状態であり、磁石球はお香軸を挟み込んでいる。この状態が、前記図９-Ａにあたるものである。
【００９２】
図１１-Ｃで、お香の燃焼が終わった場合、指で触ると、燃え残ったお香軸を挟んだまま、４個の磁石球が鉄球から弾かれたように立ち上がり、斜視図９-Ｂの状態になる。
この状態で燃え残りのお香軸を排除するのはごく簡単であり、排除後は、再び図１１-Ａ、図１１-Ｂ、図１１-Ｃという一連の流れで、再びお香軸を装着した状態になる。
【００９３】
次に、請求項３〜請求項５についての実施態様を述べる。
図１２は、保持台に磁石を配置し、その上部に支柱を配置し、支柱と １個の球状の強磁性体でお香軸を挟んだ斜視図である。
【００９４】
図１３は、保持台に磁石を配置し、その上部に支柱を配置し、支柱と １個の不定形の強磁性体でお香軸を挟んだ斜視図である。
【００９５】
図１２、図１３において、
９９は、お香軸である。
１ は、保持台である。
３ は、移動保持具である。
６ は、保持台に配置された支柱である。
７ は、支柱周辺に配置された強磁性体である。
【００９６】
図１２、図１３は、お香軸の側方にあたる位置に支柱が立てられ、支柱下部には磁石が配置されたものであり、移動保持具は、図１２では１つの球状の強磁性体、また図１３では１つの不定形状の強磁性体からなっている。
【００９７】
支柱と移動保持具でお香軸を挟み込む場合、ごく普通のフェライト系磁石でも挟み込むことが可能であり、十分に安定感があり、機能としては、前記図１〜図６とほぼ同様である。また、支柱下部に配置した磁石を強磁性体に、移動保持具を磁石に置き換えた場合でもほぼ同様の働きをする。
【００９８】
次に、図１４、図１５について述べる。
図１４、図１５において、
９９は、お香軸である。
３ は、移動保持具である。
【００９９】
図１４は、球状の磁石４個でお香軸を挟んだ斜視図であり、図１５は、不定形状の磁石２個でお香軸を挟んだ斜視図であり、特に保持台はなくとも機能するものである。
【０１００】
図９は、径が５ｍｍのネオジウムの球形磁石４個によって、お香軸の根元を挟んだものである。また、図１０は、不定形状の磁石２個で挟んだものである。それぞれ、自身が回転することでお香軸をスムーズに受け入れ保持することができる。
【０１０１】
燃え残りを排除する場合でも、自身が回転することで、非常にスムーズに排除ができるものであり、機能としては、前記図１〜図６とほぼ同様であり、さらに、磁石が吸いつく鉄などの上ならどこにでも、どんな角度でも貼りつけることが可能である。
【０１０２】
次に図１６〜図２３の重力落差を利用する方法の実施形態について説明する。
【０１０３】
図１６〜図２３の形態において、
９９は、お香軸である。
１は、保持台である。
３ は、移動保持具である。
６は、支柱である。
９は、お香軸に向かって下向きに傾斜する皿状の傾斜面である。
１０は、お香軸に向かって下向きに傾斜する傾斜面である。
１１は、お香軸に向かって先が開いた形のレールである。
１２は、補足柱である。
【０１０４】
図１６は、お香軸に向かって下向きに傾斜する皿状の傾斜面を配置した保持台の上の移動保持具でお香軸を挟んだ斜視図である。
図１６において、保持台１は、お香軸に向かって下向きに傾斜する皿状の傾斜面と一体に形成されている。
【０１０５】
移動保持具は直径１５ｍｍの３個の球であり、保持台上に球を置くと、球は傾斜面を転がり、傾斜の底にある支柱に向かって進み、３個の球は互いにぶつかりあい、押し合い、最後は互いに触れ合った状態で静止する。
【０１０６】
これら３個の球の中心にお香の軸を差し込むと、それまでは安定し、触れ合っていた接点の一部が切れて、球は自転しながら軸を受け入れ、軸は微動だにしない形で直立する。
【０１０７】
球の直径が１５ｍｍと大きいので、お香軸の下には補足柱が置かれている。
この補足柱は、お香軸を下から支え、球とお香軸の接する位置を決定することで、挟みしろを小さくする機能がある。
【０１０８】
球の直径は約 １２ｍｍ程度〜１６．７ｍｍであれば、３個の球で挟むことができるが、お香軸との接点が変わるので、補足柱を動かして調節する。
６ｍｍ以下の４個の球の場合でも挟むことができるが、やはり補足柱の長さを調節することにより、挟みしろを少なくすることができるほか、補足柱の存在は、球が傾斜の中心に転がり込まないストッパーの役目も果たす。
【０１０９】
球の材質は磁石の場合と異なり、比重さえ大きければあらゆる素材が有効で、素材を選ぶことがないため、透明ガラス、色つきガラス、模様つきガラス玉のほか、金属、木材、セラミック、大理石など様々な素材が使えるので、視覚的にも美しい。
【０１１０】
球は傾斜面を下に向かおうとしているだけなので、磁石の場合に比べて挟み込む力は弱いが、反面燃え残りを取り出す場合、簡単である。
【０１１１】
球が３個から１０個程度、それぞれのケースでお香軸は立つが、球の重量が大きいほうがより安定性は高い。
【０１１２】
３個の１５〜１６ｍｍの球の場合は、４個以上の球の場合に比較して重量が圧倒的に大きいため、傾斜の角度は小さくても安定する。球の数が多い場合は、より傾斜のきついものの方が安定する。
【０１１３】
図１７は、お香軸に向かって、下向きに傾斜する１つ以上の傾斜面を配置した保持台の上の３個の移動保持具でお香軸を挟んだ斜視図である
図１７は、お香軸に向かって下向きに傾斜する１つ以上の傾斜面によって構成されたもので、３本のレール状斜面になったものである。球の自由な動きは束縛されるが、３つの方向から正確に軸をつかむことができる。
【０１１４】
図１８は、お香軸に向かって先が開いた形の３つのレールを配置した保持台の上の、３個の移動保持具でお香軸を挟んだ斜視図であり、図１９は、お香軸に向かって先が開いた形の３つのレールを配置した保持台の上の、３個の中央が太い回転体でお香軸を挟んだ斜視図である。
【０１１５】
図１８、図１９は、お香軸に向かって先が開いた形状のレールを３つ配置したものであり、図１８は移動保持具として球を、図１９は移動保持具として両端の細い回転体を配置したものである。ともに傾斜面はなくとも、先が開いているレールの上に載せることによって、球や、両端が細い回転体は、重力落差によってお香軸の方に移動し、図１７と同様の働きをする。
【０１１６】
図２０、図２１、図２２は、お香軸の側方にあたる位置にお香軸を受ける支柱を配置したもので、移動保持具と支柱によってお香軸を挟むものである。
支柱は、お香軸を横から支えるために縦溝が切られており、上に載せる球のサイズに適合する補足柱と同様の下支え部分を備えている。
この下支え部分を可動にすると、さまざまなサイズの球が適切に使用出来る。
【０１１７】
図２３は、お香軸に向かって下向きに傾斜する傾斜面の上に、傾斜を転がり下りることのできる不定形の移動保持具を配置したものである。斜面を転がり、お香軸を支柱に向かって押しつけることができれば、移動保持具の形態は自由である。
【０１１８】
次に、図２４〜図２７について述べる。
【０１１９】
図２４〜図２７は、主に請求項２にあたる、お香を立てる位置に磁石を配置し、その上に保持具として３個以上の球状の強磁性体を配置した保持台を、据置型の香炉に配置したものである。
【０１２０】
図２４〜図２７において、
９９は、お香軸である。
１は、保持台である。
２ は、保持台に配置された磁石である。
３ は、移動保持具である。
１３は、香炉である。
１４は、香炉の蓋部である。
１５は、 火屋である。
【０１２１】
図２４は、図１の保持台等を横置きに配置した香炉の斜視図であり、舟型の香炉の上に、請求項２の保持台を水平に配置したものである。
お香軸が水平であり、燃えた後の灰は下に落ちるので、移動保持具や磁石は灰を被ることがなく、新しいお香を交換するのにも、香炉を据え置きのままで、上から操作ができるものである。
【０１２２】
図２５は、蓋の裏側に、図１の保持台を配置した香炉の斜視図である。
香炉１３には蓋部１４を設け、蓋部に図１の保持台を配置したもので、使用時は倒置されることになる。お香の燃えたあとの灰はそのまま下に落ちる構造である。
【０１２３】
図２６は、同香炉蓋の斜視図であり、蓋を反転した様子を示すもので、お香の交換が簡単にでき、据置型の本体は移動する必要がないものである。
【０１２４】
図２７は、図１の保持台等を配置し、上に火屋を被せた香炉の一部切断斜視図である。
これは保持台を香炉１３の上に配置し、その上に火屋を被せたもので、火屋を外すことで、お香の交換は上から行うことができるものである。
【０１２５】
次に、図２８〜図３０について述べる。
図２８、図３０において、
９９は、お香軸である。
２ は、保持台に配置された磁石である。
３ は、移動保持具である。
９は、お香軸に向かって下向きに傾斜する皿状の傾斜面である。
１２ は、補足柱である。
１６ は、お香保持台である。
１７ は、着座部である。
【０１２６】
図２８は、お香保持台に磁石もしくは強磁性体を設けたもので、図２８は磁石を設けたものである。移動保持具は径６ｍｍ程度の鉄球であれば、市販のものが使用出来る。
図２９は斜視図、図３０は、同断面図である。傾斜面の底部には平坦な着座部があり、その中央には補足柱がある。補足柱は可動式であったほうが移動保持具のサイズに対応することができ、挟みしろも小さくできる。
【０１２７】
【産業上の利用可能性】
【０１２８】
本発明に関わるお香立ては、工業的に量産することが可能なので、産業上の利用可能性を有する。
【図面の簡単な説明】
【０１２９】
図は、移動保持具をお香軸の周辺に集めるために、１．磁力、２．重力落差という二つの異なる方法をとることにより、大きく２つに分かれる。さらにこのお香立てを配置した香炉、およびお香保持台についても図示する。
【０１３０】
図１〜図１５までが、磁石を利用する方法であり、図１６〜図２３が重力落差を利用する方法、図２４〜２７が香炉の図、図２８〜３０はお香保持台の図、図３１〜３３が従来例を示すものである。
【０１３１】
図では裏面に隠れて見えない部分を点線で表示した。また、一部内部を見せるためにカットしたものもある。
【０１３２】
【図１】保持台に配置された磁石の上に、お香軸と、移動保持具として４つの球状の強磁性体を配置した斜視図。
【図２】同平面図。
【図３】保持台に配置された磁石の上に、お香軸と、移動保持具として７つの球状の強磁性体を配置した斜視図。
【図４】Ａは同平面図。Ｂは同平面図に、追加された６個の球状の強磁性体を配置した平面図。
【図５】Ａは保持台に配置されたリング状磁石の上に、移動保持具として６個の球状の強磁性体を配置した平面図。Ｂは同平面図であり、移動保持具でお香軸を挟んだ状態を示す平面図。
【図６】保持台に配置された磁石の上に、お香軸と２個の不定形の強磁性体を配置した斜視図。
【図７】保持台に配置された強磁性体の上に、お香軸と４個の球状の磁石を配置した斜視図。
【図８】保持台に配置された強磁性体の上に、お香軸と２個の不定形の磁石を配置した斜視図。
【図９】Ａは保持台に球形の強磁性体を載せ、その上に配置された４個の球状の磁石でお香軸を挟んで立てた斜視図。Ｂは燃え残りのお香軸を排出するため、４個の球状磁石を直角に引き起こした状態の斜視図。
【図１０】Ａは球状の強磁性体の上に、４個の球状磁石を単純に置いた状態の平面図。Ｂは同上図で、球状磁石の先端を再び球状の強磁性体にくっつけた平面図。
【図１１】Ａは同上図で、４個の球状磁石のうち、球状の強磁性体にくっついた２個を、接触させた平面図。Ｂは同上図で、４個の球状磁石すべてを互いに接触させた平面図。Ｃは同上図で、４個の球状磁石の間にお香軸を差し込んだ状態の平面図。
【図１２】保持台に磁石を配置し、その上部に支柱を配置し、支柱と １個の球状の強磁性体でお香軸を挟んだ斜視図。
【図１３】保持台に磁石を配置し、その上部に支柱を配置し、支柱と １個の不定形の強磁性体を含む物体でお香軸を挟んだ斜視図。
【図１４】球状の磁石４個でお香軸を挟んだ斜視図。
【図１５】不定形状の磁石２個でお香軸を挟んだ斜視図。
【図１６】お香軸に向かって下向きに傾斜する皿状の傾斜面を配置した保持台の上の移動保持具でお香軸を挟んだ斜視図。
【図１７】お香軸に向かって下向きに傾斜する３つの傾斜レールを配置した保持台の上の３個の移動保持具でお香軸を挟んだ斜視図。
【図１８】お香軸に向かって先が開いた形の３つのレールを配置した保持台の上の、３個の移動保持具でお香軸を挟んだ斜視図。
【図１９】お香軸に向かって先が開いた形の３つのレールを配置した保持台の上の、３個の中央が太い回転体でお香軸を挟んだ斜視図。
【図２０】お香軸に向かって下向きに傾斜する面を備えた保持台上の移動保持具と支柱でお香軸を挟んだ斜視図。
【図２１】お香軸に向かって先が開いた形状のレール上の移動保持具と支柱でお香軸を挟んだ斜視図。
【図２２】お香軸に向かって先が開いた形のレール上の両端が細い回転体と支柱でお香軸を挟んだ斜視図。
【図２３】お香軸に向かって下向きに傾斜するレール上の不定形状の移動保持具と支柱でお香軸を挟んだ斜視図。
【図２４】図１の保持台等を横置きに配置した香炉の斜視図。
【図２５】蓋の裏側に、図１の保持台等を配置した香炉の斜視図。
【図２６】同香炉蓋の斜視図。
【図２７】図１の保持台等を配置し、上に火屋を被せた香炉の一部切断斜視図。
【図２８】お香を立てる位置に磁石を配置したお香保持台の中央部断面図。
【図２９】お香を立てる位置に、着座部を設け、着座部に向かって、下向きに傾斜する傾斜面を設けたお香保持台の斜視図。
【図３０】お香を立てる位置に、着座部、および補足柱を設け、着座部に向かって、下向きに傾斜する傾斜面を設けたお香保持台の、中央部断面図。
【図３１】従来例、円盤に穴を開けたお香立て。
【図３２】従来例、厚い円盤に穴を開けたお香立て。
【図３３】従来例、皿に斜めに傾けて穴を穿ったお香立て。
【符号の説明】
【０１３３】
１    保持台
２    保持台に配置された磁石
３    移動保持具
４    追加された移動保持具
５     保持台に配置されたリング状磁石
６     保持台に配置された支柱
７    支柱周辺に配置された強磁性体
８    保持台に配置された強磁性体
９    お香軸に向かって下向きに傾斜する皿状の傾斜面
１０  お香軸に向かって下向きに傾斜する傾斜面
１１  お香軸に向かって先が開いた形のレール
１２  補足柱
１３  香炉
１４  香炉の蓋部
１５  火屋
１６  お香保持台
１７  着座部
９８  従来例のお香立て
９９  お香軸
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
強磁性体を磁力中心に引き付ける構造を備えた保持台と、前記保持台の上に配置された、
複数の移動保持具とが、協働して、棒状のお香を挟み保持するお香立てであって、
前記保持台は、お香軸を定位置に位置決めする位置に磁石を配置したものであり、
前記移動保持具は、前記磁石上面に配置された、強磁性体からなる、３個以上の球状回転体であり、
磁力によって前記移動保持具が移動したとき、
前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項２】
請求項１において、
前記保持台は、お香軸を定位置に位置決めする位置にリング状磁石を配置したものであることを特徴とする、
請求項１記載のお香立て。
【請求項３】
強磁性体を磁力中心に引き付ける構造を備えた保持台の上に配置された移動保持具と、保持台の上に配置された支柱が協働して、棒状のお香を挟み保持するお香立てであって、
前記保持台は、移動保持具の側に向かって開口したＶ溝を持つ支柱を配置し、
該支柱下部に強磁性体を配置したものであり、
前記移動保持具は、前記強磁性体上に配置された、強磁性体からなる球状回転体であり、
前記保持台に配置された前記強磁性体と、前記移動保持具である前記強磁性体のうち少なくとも一つは磁石であることにより、
磁力によって前記移動保持具が移動したとき、
前記支柱のＶ溝と前記移動保持具の中央にできる空間が、棒状のお香軸の直径より小さくなるように構成し、その空間にお香軸を押し込むことによって、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項４】
請求項３において、
前記保持台は、移動保持具の側に向かって開口したＶ溝を持つ支柱を配置し、該支柱下部に磁石を配置したものであることを特徴とする、
請求項３記載のお香立て。
【請求項５】
強磁性体を磁力中心に引き付ける構造を備えた保持台の上に配置された移動保持具と、保持台の上に配置された支柱が協働して、棒状のお香を挟み保持するお香立てであって、
前記移動保持具は、磁石に接触配置した強磁性体からなる球状回転体であり、
前記保持台は、移動保持具の側に向かって開口したＶ溝を持つ支柱を配置したものであり、前記移動保持具が前記磁石の磁力中心に回転移動したとき、前記支柱のＶ溝と前記移動保持具の中央にできる空間が、棒状のお香軸の直径より小さくなる位置に磁石を配置するように構成されたものであり、
前記空間にお香軸を押し込むことによって、お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項６】
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜する傾斜面を持ち、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項７】
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜し、前記移動保持具がそれぞれ一つずつ配置される数の傾斜レール状斜面を組み合わせて配置したものであり、前記移動保持具が重力によって移動した時、前記定位置に集まるように構成され、
定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項８】
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の球状回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項９】
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の両端の細い回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立て。
【請求項１０】
請求項６、請求項７、請求項８、請求項９において、
前記保持台は、お香軸の立つ位置に、頂部の高さが移動保持具とお香軸の接点より下になるように構成された、お香軸を下から支えるための、補足柱を持つものであることを特徴とする、
請求項６、請求項７、請求項８、請求項９記載のお香立て。
【請求項１１】
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、両端の細い回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項１２】
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項１３】
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、下向きに傾斜する面を持つものであり、
前記移動保持具は、前記傾斜面上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立て。
【請求項１４】
請求項１１、請求項１２、請求項１３において、
前記保持台は、支柱部のお香軸の立つ位置に、頂部の高さが移動保持具とお香軸の接点より下になるように構成された、お香軸を下から支えるための、下支え部を持つものであることを特徴とする、
請求項１１、請求項１２、請求項１３記載のお香立て。
【手続補正２】
【補正対象書類名】明細書
【補正対象項目名】全文
【補正方法】変更
【補正の内容】
【発明の詳細な説明】
【技術分野】
【０００１】
この発明は、お香立て、お香保持具、およびお香保持台に関するものである。
【背景技術】
【０００２】
本発明が目的とするお香は、薫香用の径３．０ｍｍ程度、長さ８０ｍｍ〜１００ｍｍ程度の棒状のものであり、燃焼時に燃焼面積が変化しないため、安定的に薫香が焚けるものであるが、単なる棒状であるので、燃焼させるためには、立てなければならないものである。
【０００３】
現在市販されているこれら薫香用に使われるお香立ては、図３１に示したように厚さ約３ｍｍ、径約２０ｍｍ程度で、中央に径３ｍｍ程度の穴をあけた円盤を皿の上に置き、そこにお香をまっすぐに立てるもの、図３２のように、厚さを１０ｍｍ程度にしたもの、あるいは図３３に示したように、皿状で、直接径３ｍｍ程度の穴を穿ち、お香をまっすぐに、あるいは傾けて立てるように構成したものなどである。
【０００４】
前記円盤状のものは、穴の径を大きくすると、お香はまっすぐには立たなくなり、まっすぐに立てるためには、図３２に示したように、円盤の厚みを増す必要があるが、厚みを増すと燃え残りが多くなってしまうし、まっすぐに立つとは言っても、実際には不安定でぐらぐらするものであった。
【０００５】
また、穴の径を小さくしすぎると、径が少しでも大きいお香は入らなくなり、また穴とのすき間が減るため、燃え残りを排除しにくくなるという関係があった。
【０００６】
皿の上に置いた前記円盤では、燃焼が終ると、穴の内部には燃え残りが残ってしまい、
燃え残りを排除し、新しいお香を立てるためには、灰のたまった皿の上から一度、薄い円盤を手で拾い上げる必要があり、灰によって手が汚れ、またお香を１本焚くごとに面倒な処理が必要で手間がかかるなどの欠点があった。
【０００７】
また、仮に敷き詰められた灰の上に、前記円盤状のお香立てを置いて使用すると、お香を立てる時、灰の中にまでお香が入ってしまい、燃え残りが多くなるという欠点があった。
【０００８】
前記皿状で、穴を穿ってあるものでは、燃え残りが常に穴の底に残るので、１本のお香を焚くたびに、燃え残りを排出し捨てるために、皿を反転させる必要があった。
【０００９】
前記円盤状のお香立てが、燃え残りを少なくするため、薄く作られていること、前記皿状のものであっても、お香を１本焚くごとに、いちいち皿を持ち上げて燃え残りを捨てるために皿を移動する必要があるため、ともに軽量に作られる傾向があり、以上の軽く薄いという特徴から、これらのお香立ては一時しのぎ的、簡略版的なイメージが強く、床の間飾りに使用できるような重厚な香炉は設計が困難であった。
【００１０】
これらの諸問題点を解決するのに、
特許公開２００３−２３５７１５号公報、および特許公開２００１−３４０２０５号公報は、お香が完全に燃えてしまうとしたものであるが、完全に燃えたとしても灰は必ず残るので、それを捨てるためには、お香立てを灰の中から拾い上げ、反転させて灰を捨てねばならない。
【００１１】
登録実用新案第３０４８７０６号、特許公開平９−１３５７６８号は、水晶の粒状体、
ステンレス粒などを入れた香炉であるが、本発明のように球などを単層で幾何学的に配置するのとは異なり、器の中に何層にも重ねて配置するものであり、燃え残りが非常に多く出るし、一本ごとの燃え残りの排除を考慮に入れたものではない。
【００１２】
特許公開平１０−４３０３６号は、積層マットを用いたもの、実用新案公開平５−１３８６号は、バネの弾性を使って保持する構造のものであるが、いずれもお香のサイズの変化に十分対応出来ているとはいえない。
【００１３】
実用新案公開平７−２５８８８号は、テーパ状のすきまにお香軸を挟むものであり、実用新案公開平７−３０８６１号は、テーパ構造の上にくさびを差し込んだものであるが、
ともにお香を立てる時には、一度お香立てを取り上げて組みつける必要があり、特許公開平１１−２２５８７４は、お香台にスライドを設けたものであるが、いずれもワンタッチでお香を立てることはできない。
【００１４】
本願発明に関する公知技術として次の特許文献１〜９をあげることができる。
【００１５】
【特許文献１】特許公開２００３−２３５７１５
【特許文献２】特許公開２００１−３４０２０５
【特許文献３】登録実用新案第３０４８７０６
【特許文献４】特許公開平９−１３５７６８
【特許文献５】特許公開平１０−４３０３６
【特許文献６】実用新案公開平５−１３８６
【特許文献７】実用新案公開平７−２５８８８
【特許文献８】実用新案公開平７−３０８６１
【特許文献９】特許公開平１１−２２５８７４
【発明の開示】
【発明が解決しようとする課題】
【００１６】
本発明は、お香の挟みしろを小さくすることで燃え残りを少なくし、かつお香立てを据え置きしたまま、手を汚さずに燃え残りを簡単に排除でき、次のお香が容易に、かつしっかりと立てられるようなお香立てを課題とする。
同時に、前記お香立てを配置した重厚なイメージの据置型の香炉を課題とする。
【００１７】
本発明の前記ならびにそのほかの目的と新規な特徴は、次の説明を添付図面と照らし合わせて読むと、より完全に明らかとなるであろう。
ただし、図面はもっぱら解説のためのものであって、本発明の記述的範囲を限定するものではない。
【課題を解決するための手段】
【００１８】
上記目的を解決するために、請求項１は、
強磁性体を磁力中心に引き付ける構造を備えた保持台と、前記保持台の上に配置された、
複数の移動保持具とが、協働して、棒状のお香を挟み保持するお香立てであって、
前記保持台は、お香軸を定位置に位置決めする位置に磁石を配置したものであり、
前記移動保持具は、前記磁石上面に配置された、強磁性体からなる、３個以上の球状回転体であり、
磁力によって前記移動保持具が移動したとき、
前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００１９】
請求項２は、
請求項１において、
前記保持台は、お香軸を定位置に位置決めする位置にリング状磁石を配置したものであることを特徴とする、
請求項１記載のお香立てである。
【００２０】
請求項３は、
強磁性体を磁力中心に引き付ける構造を備えた保持台の上に配置された移動保持具と、保持台の上に配置された支柱が協働して、棒状のお香を挟み保持するお香立てであって、
前記保持台は、移動保持具の側に向かって開口したＶ溝を持つ支柱を配置し、
該支柱下部に強磁性体を配置したものであり、
前記移動保持具は、前記強磁性体上に配置された、強磁性体からなる球状回転体であり、
前記保持台に配置された前記強磁性体と、前記移動保持具である前記強磁性体のうち少なくとも一つは磁石であることにより、
磁力によって前記移動保持具が移動したとき、
前記支柱のＶ溝と前記移動保持具の中央にできる空間が、棒状のお香軸の直径より小さくなるように構成し、その空間にお香軸を押し込むことによって、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２１】
請求項４は、
請求項３において、
前記保持台は、移動保持具の側に向かって開口したＶ溝を持つ支柱を配置し、該支柱下部に磁石を配置したものであることを特徴とする、
請求項３記載のお香立てである。
【００２２】
請求項５は、
強磁性体を磁力中心に引き付ける構造を備えた保持台の上に配置された移動保持具と、保持台の上に配置された支柱が協働して、棒状のお香を挟み保持するお香立てであって、
前記移動保持具は、磁石に接触配置した強磁性体からなる球状回転体であり、
前記保持台は、移動保持具の側に向かって開口したＶ溝を持つ支柱を配置したものであり、前記移動保持具が前記磁石の磁力中心に回転移動したとき、前記支柱のＶ溝と前記移動保持具の中央にできる空間が、棒状のお香軸の直径より小さくなる位置に磁石を配置するように構成されたものであり、
前記空間にお香軸を押し込むことによって、お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２３】
請求項６は、
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜する傾斜面を持ち、前記移動保持具が重力によって移動した時、前記定位置に集まるように構成され、定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２４】
請求項７は、
重力落差を作り出す傾斜構造を備えた保持台と、前記保持台の上に配置された、複数の回転体である移動保持具とが、協働して、棒状のお香を定位置で挟み保持するお香立てであって、
前記移動保持具は、３個以上の球状回転体であり、
前記保持台はお香軸を定位置に位置決めする位置に向かって下向きに傾斜し、前記移動保持具がそれぞれ一つずつ配置される数の傾斜レール状斜面を組み合わせて配置したものであり、前記移動保持具が重力によって移動した時、前記定位置に集まるように構成され、
定位置に集まったとき前記移動保持具相互の中央にできる空間が、棒状のお香軸の直径より小さくなり、お香軸の同円周上に少なくとも３つ以上の接点を持つように構成し、
その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２５】
請求項８は、
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の球状回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２６】
請求項９は、
保持台と、前記保持台の上に配置された、回転体である移動保持具とが、協働して重力落差を作り出す、重力落差構造を備え、前記重力落差構造によって、前記移動保持具が回転移動し、棒状のお香を定位置で挟み保持するお香立てであって、
前記移動保持具は、３個以上の両端の細い回転体であって、
前記保持台はお香軸を定位置に位置決めする位置に向かって先がＶ字形に開き、前記移動保持具がそれぞれ一つずつ配置される数のレールを組み合わせて配置したものであり、上に載せた前記移動保持具が転がって定位置に集まるように構成され、
重力によって前記移動保持具が移動して集まった時、
前記移動保持具相互の中央にできる空間が、棒状のお香軸の直径より小さくなり、お香軸の同円周上に少なくとも３つ以上の接点を持つように構成し、その空間にお香軸を押し込むことによって、
お香軸を定位置に位置決めし、前記移動保持具によって周囲から点接触で押さえることにより、
小さな挟みしろで周囲から挟み、しっかりと保持することによって、燃え残りを少なくすることを特徴とする、お香立てである。
【００２７】
請求項１０は、
請求項６、請求項７、請求項８、請求項９において、
前記保持台は、お香軸の立つ位置に、頂部の高さが移動保持具とお香軸の接点より下になるように構成された、お香軸を下から支えるための、補足柱を持つものであることを特徴とする、
請求項６、請求項７、請求項８、請求項９記載のお香立てである。
【００２８】
請求項１１は、
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、両端の細い回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００２９】
請求項１２は、
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、先がＶ字形に開いたレールを持つものであり、
前記移動保持具は、レール上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００３０】
請求項１３は、
重力による傾斜構造を備えた保持台の上に配置された移動保持具と、保持台の上に設置された支柱が協働して、棒状のお香を定位置で挟み保持するお香立てであって、
前記支柱は、お香軸の方向に向かって開口したＶ溝を持ち、
前記保持台は、お香軸に向かって、下向きに傾斜する面を持つものであり、
前記移動保持具は、前記傾斜面上に配置された、球状回転体であり、
重力によって前記移動保持具が、定位置に移動するように構成し、移動した時、前記支柱および前記移動保持具の中央にできる空間が、棒状のお香軸の直径より小さくなり、お香軸を挟めるように構成し、その空間にお香軸を押し込むことにより、
お香軸を定位置に位置決めし、前記支柱および前記移動保持具によって周囲から点接触で押さえることにより、
小さな挟みしろで周囲から挟み、しっかりと保持することによって、燃え残りを少なくすることを特徴とする、お香立てである。
【００３１】
請求項１４は、
請求項１１、請求項１２、請求項１３において、
前記保持台は、支柱部のお香軸の立つ位置に、頂部の高さが移動保持具とお香軸の接点より下になるように構成された、お香軸を下から支えるための、下支え部を持つものであることを特徴とする、
請求項１１、請求項１２、請求項１３記載のお香立てである。
【発明の効果】
【００３２】
本発明は、請求項１〜請求項１４のお香立てからなり、
前記お香立ては、棒状のお香を立てるために、保持台と移動保持具でお香軸を保持し、立てることを特徴としている。
その方法として、前記移動保持具をお香軸の周辺に集めるための力として、１．磁力、
２．重力落差という二つの方法を用いている。
さらにそれぞれ、お香軸の側方にあたる位置にお香軸を受ける支柱を配置し、お香を支柱と移動保持具とで挟むことでお香を保持しているものが含まれている。
【００３３】
【００３４】
以上、いずれの方法においても、お香の軸の周辺には前記球状、あるいは前記不定形状の物体が寄り集まり、お香の軸を適度な強さで挟み込み、軸を保持し、かつ必要な時、簡単に挟み込みを開放し、燃え残りを簡単に排除することが可能となる。
以下請求項ごとに効果を述べるが、まず、請求項１〜請求項２の保持力が磁力によっているものについて述べる。
【００３５】
請求項１、請求項２は、お香の中心軸の下に磁石を配置し、お香軸の周囲には、球状であり、内部に強磁性体を含んでいる複数個の移動保持具が配されている。
【００３６】
【００３７】
（１−１）請求項１、請求項２は、上記の構成をとることにより、磁石と強磁性体が、磁力によって互いに引き寄せ合うことで、お香の中心軸に向かって移動保持具が吸い寄せられ、移動保持具がお香軸の周囲に移動し、周囲からお香を挟み立て保持するものであり、
様々な太さのお香をしっかりと立てることができる。
【００３８】
請求項３は、お香軸の側方にあたる位置に支柱を備え、支柱、また支柱周辺に配置された強磁性体と、移動保持具のうち少なくとも１つは磁石を含んでいることにより、磁力によって支柱と移動保持具が互いに引き寄せ合う構造になり、上記（１−１）と同様に、様々な太さのお香をしっかりと立てることができる。
【００３９】
（１−２）請求項１〜請求項５では容易にその移動保持具の一部を移動もしくは自転させ、簡単に挟み込みを解除出来るので、燃え残りを捨てる際にも、お香立てを反転させたり、お香立ての台を拾い上げたりしなくともよく、手を灰で汚すことなく、お香立てを据え置きのまま容易に燃え残りが排除でき、新しいお香をワンタッチで立てることができる効果がある。
【００４０】
（１−３）構造的にもシンプルで、ゴミなどを挟み込む余地もないため、壊れにくい。また、バネを利用していないので、バネの折損がない。また、ネジ部や、固定した回転軸を持たないので、摩耗部分がなく、すべりが悪くなったり固着したりということもないという効果がある。
【００４１】
（１−４）移動保持具のサイズを小さくする、あるいはお香軸を下から支え高さ調節をする補足柱を備えることにより、挟みしろが減ることになり、燃え残りが少なくなるという効果がある。
【００４２】
（１−５）バネやゴムや樹脂、繊維などの弾性体では、お香軸の径の大小によって締めつける力に変化が起こり、大きな径のものを長く挟んでいるとクセがついて、次に小さな径のものを挟む力が弱まる傾向があるが、前記磁力による締めつけ力は、お香の径の大小にあまり影響されないという効果がある。
【００４３】
（１−６）また、お香軸の根元に球が整列するという幾何学的なデザインとなり、主に金属球を使うので、メタリックで美麗な外観を備えるという効果がある。
【００４４】
（１−７）保持台に配置された磁石、強磁性体、また移動保持具である磁石や強磁性体は半永久的にその引き寄せ合う力を保持する。特に、劣化しやすいゴムや樹脂、繊維などの弾性体を使用していないので経年変化がないという効果がある。
【００４５】
（１−８）お香の軸は磁石の力でしっかりと保持されているので、お香立てを自由な角度に傾けて配置することができる。例えば角度を付けたり、あるいは上下を逆に、つまり軸を下向きに設置することも可能であるという効果があり、さらに、これらの場合は、灰が保持台や移動保持具の上に落ちないという効果がある。
保持台、またはその一部を球状にし、その上に磁石あるいは強磁性体を載せたものでは、お香を立てる角度、方向が自由に調整できるという効果がある。
【００４６】
（１−９）灰や燃え残りを捨てるために、保持台を反転する際にも回転体は磁石に貼り付いたままなので、小さな保持具が失われることもなく、灰や燃え残りをたいへん捨てやすいという効果がある。
【００４７】
【００４８】
【００４９】
請求項６〜請求項１４は、前記請求項１〜請求項５とは異なり、磁力を使わず、もっぱら重力落差を利用するものである。次にこの方式を用いたものの効果を述べる。
【００５０】
（４−１）請求項６〜請求項１４において、移動保持具は比重の大きいものが望ましいが、それ以外特に素材を選ばないので、例えばガラスでも透明のものから色や模様のついたもの、表面もつるつるしたものから若干の起伏を持ったもの、あるいはかなり変形したものまで様々なデザインのものを使える。そのほか、各種金属、大理石、貴石のほか、木材、セラミック、耐熱樹脂まで様々な素材を使うことができ、デザインの幅が広いという効果がある。
【００５１】
（４−２）バネやゴムや樹脂、繊維などの弾性体では、お香軸の径の大小によって締めつける力に変化が起こり、大きな径のものを長く挟むんでいるとクセがついて、次に小さな径のものを挟む力が弱まる傾向があるが、傾斜構造の上に置かれた回転体の締めつけ力は、お香の径の大小にまったく依存しないという効果がある。
【００５２】
（４−３）また、前記移動保持具は最低３個の移動保持具が保持台の上にのっているだけなので、清掃も簡単である。
【００５３】
（４−４）その他、前記（１−１）〜（１−４）と同様の効果がある。
【００５４】
（５）上記以外で請求項ごとに効果をあげると、
請求項６は、お香軸に向かって下向きに傾斜する傾斜面に、球状の保持具を配置するもので、保持具は傾斜面の底に向かって転がり、互いにぶつかり合いながらバランスをとり、
やがて幾何学的に美しく整列し、静止する。このオブジェ的な動きを見て視覚的にも楽しむことができるという効果がある。
【００５５】
（６）請求項７〜請求項１０は、お香軸に向かって下向きに傾斜する１つ以上の傾斜面、
またはお香軸に向かって先が開いた形状のレールを配置することで、移動保持具の案内部を形成することができ、お香軸に対する移動保持具の接触角度が正確になるため、均等に挟むことができる効果がある。
【００５６】
（７）請求項１１〜請求項１４は、お香軸の側方にあたる位置にお香軸を受ける支柱を配置することにより、移動保持具の数を減らし、移動保持具のサイズをあまり選ばす、簡単にかつ安価に構成出来るという効果がある。
【００５７】
【発明を実施するための最良の形態】
【００５８】
以下、本発明を実施するための最良の形態を、図面に基づき詳細に説明する。
前記発明の効果で示したように、保持具をお香軸の周辺に集めるために、１．磁力、２．重力落差という二つの異なる方法を取るため、最良の形態も大きくこの２つに分かれることになる。さらにこのお香立てを配置した香炉、およびお香保持台についても図示する。
【００５９】
図１〜図１５までが、磁石を利用する方法であり、図１６〜図２３が重力落差を利用する方法、図２４〜２７が香炉の図、図２８〜図３０はお香保持台の図である。
【００６０】
これらの本発明を実施するための異なる形態の説明にあたって、同一構成部分には同一符号を付して重複する説明を省略する。
【００６１】
また、斜視図あるいは平面図において、前面の物体によりその奥が見えない場合、前面の物体に隠された部分を点線、あるいは一部カットして表現した。また、説明の繁雑を避けるため、移動保持具を単に球と表現している場合がある。
【００６２】
まず、保持台に磁石が配置されている請求項１、請求項２について述べる。
対応する図は、図１〜図６である。
【００６３】
図１〜図６において、
９９は、お香軸である。１ は、保持台である。２ は、保持台に配置された磁石である。３ は、移動保持具である。４ は、追加された移動保持具である。５は、台に配置されたリング状磁石である。
【００６４】
お香の軸の根元円周上に球を配置することによって、お香軸をまっすぐに立てるためには、お香の軸の同円周上に少なくとも３つ以上の接点が必要となる。
【００６５】
球の数が３個以上の場合はこれを十分に満たしているが、球を軸の根元周囲に並べて幾何学的に美しく整列させるためには、球の個数とそのサイズとの間にはある程度決まりがある。
【００６６】
ここで目的とするお香のサイズは直径２．８ｍｍ程度で、長さ約８０ｍｍから１００ｍｍである。一例をあげて説明する。
お香の直径を２．８ｍｍとし、これを３個の球によって軸周囲を囲むとすると、その球の直径の上限は１７．６ｍｍ程度であり、締めつける余裕や、径の若干小さいものを挟むことを考慮に入れると球のサイズは約１２ｍｍから１５ｍｍ程度が適当である。ただし、
このサイズでは、お香軸と球の接点が、台から６〜７．５ｍｍあたりになってしまうので、お香軸を下から支えるため補足柱を備える必要がある。
【００６７】
磁石の上の４個の球で挟むとすると、その上限は６．８ｍｍ程度、５個の場合３．９ｍｍ程度、６個の場合２．８ｍｍ程度であり、締めつける余裕を含めると、それぞれ５ｍｍ程度、３ｍｍ、２ｍｍ程度、が実用域となるが、５ｍｍ以下の球の場合、球とお香軸の接点は軸端から２．５ｍｍ以下となるので補足柱は必要ない。
【００６８】
図１は、保持台に配置された磁石の上に、 お香軸と、移動保持具として４つの球状の強磁磁性体を配置した斜視図であり、図２は同平面図である。
【００６９】
図１では、保持台には、直径１０ｍｍの円柱形ネオジウム磁石が埋めこまれており、磁石の磁界は、表面に出ている部分がＮまたはＳである。
磁石の上部には移動保持具として、４個の直径５ｍｍの強磁性体である鉄を主成分とした球が配置されている。
【００７０】
磁石の上に１つの強磁性体の球を載せたとすると、１つの球は磁力の中心である磁石の中心におさまるが、球の数を２個、３個と増やすと、球は互いに牽制し合い、幾何学的に安定な位置に動こうとする。
図１では４個の直径５ｍｍの強磁性体の球が配置され、すべての球が磁石の端部より内側で磁石に接しているが、互いに散らばってしまうほど磁石の径は大きくはないので、球は、磁石に引きつけられながらも互いに反発しあい、幾何学的に安定した状態に移動する。
【００７１】
球と磁石との接点は１点であるが、形が球状であるため、磁石から球を引き離す力の数十分の一の力で、球は自由回転したり、磁石上を平行移動したりすることができる。この状態で球の中央にお香軸を差し込むと、球は自転しながら場所を空け、お香軸を挟み込むことができる。
【００７２】
お香の火が消えた場合、燃え残りは球の配列の中に残っているが、球は自転することができ、移動するのもスムーズであるので、新しいお香軸の先端で触れると、燃え残りを簡単に排除することができる。また、球は強力な磁石に吸引されているので、逆さまに傾けても離れることがないので灰や燃え残りの清掃はごく簡単である。
【００７３】
図３は、保持台に配置された径６ｍｍの円柱形磁石の上に、 お香軸と、移動保持具として径２ｍｍの７つの球を配置した斜視図、図４−Ａは、同平面図、図４−Ｂは、前記平面図に、追加された７個の球を配置した平面図である。
【００７４】
図３、図４で磁石は径が６ｍｍであるが、球の直径の方がお香軸の直径より小さいので、球はより安定した３個ずつの集合体になりたがり、ついにはお香の軸の入るべき場所に転がりこむことがある。それを避けるには、図４−Ｂのように７個の球の場合、１列目の７個の配列の外に、さらに２列目の７個の球を上から見て星型になるように配置し、外郭がそれぞれ３個ずつの集合になるようにしてやると安定度は増す。
【００７５】
図３、図４で、球の径を２ｍｍとした場合、挟みしろが小さいので、燃え残りは約２．４ｍｍ程度と極めて小さくなる。
【００７６】
図５−Ａは、保持台に配置された径５ｍｍ、内径２．４ｍｍのリング状磁石の上に、移動保持具として径２ｍｍ、６個の球状の強磁性体を配置した平面図であり、図５−Ｂは、中心にお香軸を差し込んだ場合の平面図であり、６個の球が外に向かって移動し、お香軸を挟み込んだ様子を示すものである。
リング状の磁石によって球は磁石のリング円周の上に安定して配置され、お香軸がない状態でも、図５−Ａの状態で安定する。また、磁石またはリング状磁石の上面に、中心に向かって下向きの傾斜がある形態でもさらなる安定が得られる。
【００７７】
図１〜図５ではお香に直接接する球が４個と７個、６個のものをとりあげたが、同様に３個、５個、７個、８個、９個、１０個、さらにそれ以上の球による配列も可能である。
実施例をあげると、
円柱形磁石：径１０ｍｍの上に４個の直径５ｍｍの球。
円柱形磁石：径９ｍｍの上に４個の直径４ｍｍの球。
円柱形磁石：径７ｍｍの上に５個の直径３ｍｍの球。
円柱形磁石：径６ｍｍの上に６個の直径２ｍｍの球。
リング状磁石：外径１２ｍｍ、内径８ｍｍの上に３個の直径１５ｍｍの球。
リング状磁石：外径１０ｍｍ、内径６ｍｍの上に３個の直径６ｍｍの球。
リング状磁石：外径８ｍｍ、内径４ｍｍの上に４個の直径５〜４ｍｍの球。
リング状磁石：外径６ｍｍ、内径３ｍｍの上に５個の直径３ｍｍの球。
リング状磁石：外径５ｍｍ、内径２．４ｍｍの上に６個の直径２ｍｍの球。
などが可能である。
【００７８】
小さな球の場合、球の個数の増減によってお香の軸のサイズの変化に対応することができるが、球のサイズはせいぜい２ｍｍ程度、径２．８ｍｍのお香軸では多くとも６〜７個程度が適切であろう。
【００７９】
図６は、保持台に配置されたネオジウム磁石の上に、移動保持具として、２個の不定形状の強磁性体を置いたもので、それらが磁力により引き寄せ合い、お香の軸を挟むものである。不定形状ではあっても、磁石との接点が点状になるように、部分的であれ球状の曲面を備えたもののほうが、回転や移動が簡単で、お香軸を挟みやすい。
【００８０】
【００８１】
図７〜図１１において、
９９は、お香軸である。
１ は、保持台である。
３ は、移動保持具である。
８ は、保持台に配置された強磁性体である。
【００８２】
図７は、保持台に鉄からなる強磁性体の円柱を埋めこみ、その上に移動保持具として径５ｍｍの球状のネオジウム磁石を置いたものであり、機能としては前記請求項２とほぼ同様である。
【００８３】
図８は、保持台に鉄からなる強磁性体の円柱を埋めこみ、その上に移動保持具として不定形状のネオジウム磁石を置いたものであり、機能としては、前記図６とほぼ同様である。
【００８４】
図９〜図１１は、台の上に径１５ｍｍの鉄球を置き、その上にすべてが径５ｍｍである球状のネオジウム磁石４個を配置したものである。この配置手順について以下に詳細に述べる。
【００８５】
図９−Ａは、保持台に球形の強磁性体を載せ、その上に配置された４個の球状の磁石でお香軸を挟んで立てた斜視図である。
適度な窪みを持つ台の上に置かれた球形の物体は、自由な角度に傾けることが出来るため、お香軸を好きな角度に保つことができる。
【００８６】
図９−Ｂは、燃え残りのお香軸を排出するため、４個の球状磁石を直角に引き起こした状態の斜視図である。
【００８７】
図１０−Ａ〜図１１−Ｃは、前記図９−Ａの状態に至る操作手順を図示したものである。
図１０−Ａは、前記球状の強磁性体である鉄球の上に単純に径５ｍｍの球状のネオジウム磁石を置いたもので、磁石球は互いに引き合いながら、反発し、一直線状に立ち上がる。
【００８８】
図１０−Ｂは、同上図で、一直線状になった磁石球の先端部を鉄球に押し戻した図であり、磁石球は半円弧を描いて再び鉄球に強く貼り付くことになる。
【００８９】
図１１−Ａは、同上図で、鉄球に貼り付いた磁石球２つを指でくっつけた図である。磁石球はそのうち２つが鉄球に強く貼り付いているが、反発力も発生していて、鉄球からは弾かれたように立ち上がった形になっている。
【００９０】
図１１−Ｂは、同上図で、鉄球に貼り付いたままの磁石球４個を指で直角に押し倒した図である。磁石球４個は、すべてが鉄球に貼り付くが、磁石球は鉄球の上を滑るように動く状態になる。
【００９１】
図１１−Ｃは、同上図で、４個の磁石球の中央にお香軸を押し込んだ状態であり、磁石球はお香軸を挟み込んでいる。この状態が、前記図９−Ａにあたるものである。
【００９２】
図１１−Ｃで、お香の燃焼が終わった場合、指で触ると、燃え残ったお香軸を挟んだまま、４個の磁石球が鉄球から弾かれたように立ち上がり、斜視図９−Ｂの状態になる。
この状態で燃え残りのお香軸を排除するのはごく簡単であり、排除後は、再び図１１−Ａ、図１１−Ｂ、図１１−Ｃという一連の流れで、再びお香軸を装着した状態になる。
【００９３】
次に、請求項３〜請求項５についての実施態様を述べる。
図１２は、保持台に磁石を配置し、その上部に支柱を配置し、支柱と １個の球状の強磁性体でお香軸を挟んだ斜視図である。
【００９４】
図１３は、保持台に磁石を配置し、その上部に支柱を配置し、支柱と １個の不定形の強磁性体でお香軸を挟んだ斜視図である。
【００９５】
図１２、図１３において、
９９は、お香軸である。
１ は、保持台である。
３ は、移動保持具である。
６ は、保持台に配置された支柱である。
７ は、支柱周辺に配置された強磁性体である。
【００９６】
図１２、図１３は、お香軸の側方にあたる位置に支柱が立てられ、支柱下部には磁石が配置されたものであり、移動保持具は、図１２では１つの球状の強磁性体、また図１３では１つの不定形状の強磁性体からなっている。
【００９７】
支柱と移動保持具でお香軸を挟み込む場合、ごく普通のフェライト系磁石でも挟み込むことが可能であり、十分に安定感があり、機能としては、前記図１〜図６とほぼ同様である。また、支柱下部に配置した磁石を強磁性体に、移動保持具を磁石に置き換えた場合でもほぼ同様の働きをする。
【００９８】
次に、図１４、図１５について述べる。
図１４、図１５において、
９９は、お香軸である。
３ は、移動保持具である。
【００９９】
図１４は、球状の磁石４個でお香軸を挟んだ斜視図であり、図１５は、不定形状の磁石２個でお香軸を挟んだ斜視図であり、特に保持台はなくとも機能するものである。
【０１００】
図９は、径が５ｍｍのネオジウムの球形磁石４個によって、お香軸の根元を挟んだものである。また、図１０は、不定形状の磁石２個で挟んだものである。それぞれ、自身が回転することでお香軸をスムーズに受け入れ保持することができる。
【０１０１】
燃え残りを排除する場合でも、自身が回転することで、非常にスムーズに排除ができるものであり、機能としては、前記図１〜図６とほぼ同様であり、さらに、磁石が吸いつく鉄などの上ならどこにでも、どんな角度でも貼りつけることが可能である。
【０１０２】
次に図１６〜図２３の重力落差を利用する方法の実施形態について説明する。
【０１０３】
図１６〜図２３の形態において、
９９は、お香軸である。
１は、保持台である。
３ は、移動保持具である。
６は、支柱である。
９は、お香軸に向かって下向きに傾斜する皿状の傾斜面である。
１０は、お香軸に向かって下向きに傾斜する傾斜面である。
１１は、お香軸に向かって先が開いた形のレールである。
１２は、補足柱である。
【０１０４】
図１６は、お香軸に向かって下向きに傾斜する皿状の傾斜面を配置した保持台の上の移動保持具でお香軸を挟んだ斜視図である。
図１６において、保持台１は、お香軸に向かって下向きに傾斜する皿状の傾斜面と一体に形成されている。
【０１０５】
移動保持具は直径１５ｍｍの３個の球であり、保持台上に球を置くと、球は傾斜面を転がり、傾斜の底にある支柱に向かって進み、３個の球は互いにぶつかりあい、押し合い、最後は互いに触れ合った状態で静止する。
【０１０６】
これら３個の球の中心にお香の軸を差し込むと、それまでは安定し、触れ合っていた接点の一部が切れて、球は自転しながら軸を受け入れ、軸は微動だにしない形で直立する。
【０１０７】
球の直径が１５ｍｍと大きいので、お香軸の下には補足柱が置かれている。
この補足柱は、お香軸を下から支え、球とお香軸の接する位置を決定することで、挟みしろを小さくする機能がある。
【０１０８】
球の直径は約 １２ｍｍ程度〜１６．７ｍｍであれば、３個の球で挟むことができるが、お香軸との接点が変わるので、補足柱を動かして調節する。
６ｍｍ以下の４個の球の場合でも挟むことができるが、やはり補足柱の長さを調節することにより、挟みしろを少なくすることができるほか、補足柱の存在は、球が傾斜の中心に転がり込まないストッパーの役目も果たす。
【０１０９】
球の材質は磁石の場合と異なり、比重さえ大きければあらゆる素材が有効で、素材を選ぶことがないため、透明ガラス、色つきガラス、模様つきガラス玉のほか、金属、木材、セラミック、大理石など様々な素材が使えるので、視覚的にも美しい。
【０１１０】
球は傾斜面を下に向かおうとしているだけなので、磁石の場合に比べて挟み込む力は弱いが、反面燃え残りを取り出す場合、簡単である。
【０１１１】
球が３個から１０個程度、それぞれのケースでお香軸は立つが、球の重量が大きいほうがより安定性は高い。
【０１１２】
３個の１５〜１６ｍｍの球の場合は、４個以上の球の場合に比較して重量が圧倒的に大きいため、傾斜の角度は小さくても安定する。球の数が多い場合は、より傾斜のきついものの方が安定する。
【０１１３】
図１７は、お香軸に向かって、下向きに傾斜する１つ以上の傾斜面を配置した保持台の上の３個の移動保持具でお香軸を挟んだ斜視図である
図１７は、お香軸に向かって下向きに傾斜する１つ以上の傾斜面によって構成されたもので、３本のレール状斜面になったものである。球の自由な動きは束縛されるが、３つの方向から正確に軸をつかむことができる。
【０１１４】
図１８は、お香軸に向かって先が開いた形の３つのレールを配置した保持台の上の、３個の移動保持具でお香軸を挟んだ斜視図であり、図１９は、お香軸に向かって先が開いた形の３つのレールを配置した保持台の上の、３個の中央が太い回転体でお香軸を挟んだ斜視図である。
【０１１５】
図１８、図１９は、お香軸に向かって先が開いた形状のレールを３つ配置したものであり、図１８は移動保持具として球を、図１９は移動保持具として両端の細い回転体を配置したものである。ともに傾斜面はなくとも、先が開いているレールの上に載せることによって、球や、両端が細い回転体は、重力落差によってお香軸の方に移動し、図１７と同様の働きをする。
【０１１６】
図２０、図２１、図２２は、お香軸の側方にあたる位置にお香軸を受ける支柱を配置したもので、移動保持具と支柱によってお香軸を挟むものである。
支柱は、お香軸を横から支えるために縦溝が切られており、上に載せる球のサイズに適合する補足柱と同様の下支え部分を備えている。
この下支え部分を可動にすると、さまざまなサイズの球が適切に使用出来る。
【０１１７】
図２３は、お香軸に向かって下向きに傾斜する傾斜面の上に、傾斜を転がり下りることのできる不定形の移動保持具を配置したものである。斜面を転がり、お香軸を支柱に向かって押しつけることができれば、移動保持具の形態は自由である。
【０１１８】
次に、図２４〜図２７について述べる。
【０１１９】
図２４〜図２７は、主に請求項２にあたる、お香を立てる位置に磁石を配置し、その上に保持具として３個以上の球状の強磁性体を配置した保持台を、据置型の香炉に配置したものである。
【０１２０】
図２４〜図２７において、
９９は、お香軸である。
１は、保持台である。
２ は、保持台に配置された磁石である。
３ は、移動保持具である。
１３は、香炉である。
１４は、香炉の蓋部である。
１５は、 火屋である。
【０１２１】
図２４は、図１の保持台等を横置きに配置した香炉の斜視図であり、舟型の香炉の上に、請求項２の保持台を水平に配置したものである。
お香軸が水平であり、燃えた後の灰は下に落ちるので、移動保持具や磁石は灰を被ることがなく、新しいお香を交換するのにも、香炉を据え置きのままで、上から操作ができるものである。
【０１２２】
図２５は、蓋の裏側に、図１の保持台を配置した香炉の斜視図である。
香炉１３には蓋部１４を設け、蓋部に図１の保持台を配置したもので、使用時は倒置されることになる。お香の燃えたあとの灰はそのまま下に落ちる構造である。
【０１２３】
図２６は、同香炉蓋の斜視図であり、蓋を反転した様子を示すもので、お香の交換が簡単にでき、据置型の本体は移動する必要がないものである。
【０１２４】
図２７は、図１の保持台等を配置し、上に火屋を被せた香炉の一部切断斜視図である。これは保持台を香炉１３の上に配置し、その上に火屋を被せたもので、火屋を外すことで、お香の交換は上から行うことができるものである。
【０１２５】
次に、図２８〜図３０について述べる。
図２８、図３０において、
９９は、お香軸である。
２ は、保持台に配置された磁石である。
３ は、移動保持具である。
９は、お香軸に向かって下向きに傾斜する皿状の傾斜面である。
１２ は、補足柱である。
１６ は、お香保持台である。
１７ は、着座部である。
【０１２６】
図２８は、お香保持台に磁石もしくは強磁性体を設けたもので、図２８は磁石を設けたものである。移動保持具は径６ｍｍ程度の鉄球であれば、市販のものが使用出来る。
図２９は斜視図、図３０は、同断面図である。傾斜面の底部には平坦な着座部があり、その中央には補足柱がある。補足柱は可動式であったほうが移動保持具のサイズに対応することができ、挟みしろも小さくできる。
【０１２７】
【産業上の利用可能性】
【０１２８】
本発明に関わるお香立ては、工業的に量産することが可能なので、産業上の利用可能性を有する。
【図面の簡単な説明】
【０１２９】
図は、移動保持具をお香軸の周辺に集めるために、１．磁力、２．重力落差という二つの異なる方法をとることにより、大きく２つに分かれる。さらにこのお香立てを配置した香炉、およびお香保持台についても図示する。
【０１３０】
図１〜図１５までが、磁石を利用する方法であり、図１６〜図２３が重力落差を利用する方法、図２４〜２７が香炉の図、図２８〜３０はお香保持台の図、図３１〜３３が従来例を示すものである。
【０１３１】
図では裏面に隠れて見えない部分を点線で表示した。また、一部内部を見せるためにカットしたものもある。
【０１３２】
【図１】保持台に配置された磁石の上に、お香軸と、移動保持具として４つの球状の強磁性体を配置した斜視図。
【図２】同平面図。
【図３】保持台に配置された磁石の上に、お香軸と、移動保持具として７つの球状の強磁性体を配置した斜視図。
【図４】Ａは同平面図。Ｂは同平面図に、追加された６個の球状の強磁性体を配置した平面図。
【図５】Ａは保持台に配置されたリング状磁石の上に、移動保持具として６個の球状の強磁性体を配置した平面図。Ｂは同平面図であり、移動保持具でお香軸を挟んだ状態を示す平面図。
【図６】保持台に配置された磁石の上に、お香軸と２個の不定形の強磁性体を配置した斜視図。
【図７】保持台に配置された強磁性体の上に、お香軸と４個の球状の磁石を配置した斜視図。
【図８】保持台に配置された強磁性体の上に、お香軸と２個の不定形の磁石を配置した斜視図。
【図９】Ａは保持台に球形の強磁性体を載せ、その上に配置された４個の球状の磁石でお香軸を挟んで立てた斜視図。Ｂは燃え残りのお香軸を排出するため、４個の球状磁石を直角に引き起こした状態の斜視図。
【図１０】Ａは球状の強磁性体の上に、４個の球状磁石を単純に置いた状態の平面図。Ｂは同上図で、球状磁石の先端を再び球状の強磁性体にくっつけた平面図。
【図１１】Ａは同上図で、４個の球状磁石のうち、球状の強磁性体にくっついた２個を、接触させた平面図。Ｂは同上図で、４個の球状磁石すべてを互いに接触させた平面図。Ｃは同上図で、４個の球状磁石の間にお香軸を差し込んだ状態の平面図。
【図１２】保持台に磁石を配置し、その上部に支柱を配置し、支柱と １個の球状の強磁性体でお香軸を挟んだ斜視図。
【図１３】保持台に磁石を配置し、その上部に支柱を配置し、支柱と １個の不定形の強磁性体を含む物体でお香軸を挟んだ斜視図。
【図１４】球状磁石４個でお香軸を挟んだ斜視図。
【図１５】不定形状の磁石２個でお香軸を挟んだ斜視図。
【図１６】お香軸に向かって下向きに傾斜する皿状の傾斜面を配置した保持台の上の移動保持具でお香軸を挟んだ斜視図。
【図１７】お香軸に向かって下向きに傾斜する３つの傾斜レールを配置した保持台の上の３個の移動保持具でお香軸を挟んだ斜視図。
【図１８】お香軸に向かって先が開いた形の３つのレールを配置した保持台の上の、３個の移動保持具でお香軸を挟んだ斜視図。
【図１９】お香軸に向かって先が開いた形の３つのレールを配置した保持台の上の、３個の中央が太い回転体でお香軸を挟んだ斜視図。
【図２０】お香軸に向かって下向きに傾斜する面を備えた保持台上の移動保持具と支柱でお香軸を挟んだ斜視図。
【図２１】お香軸に向かって先が開いた形状のレール上の移動保持具と支柱でお香軸を挟んだ斜視図。
【図２２】お香軸に向かって先が開いた形のレール上の両端が細い回転体と支柱でお香軸を挟んだ斜視図。
【図２３】お香軸に向かって下向きに傾斜するレール上の不定形状の移動保持具と支柱でお香軸を挟んだ斜視図。
【図２４】図１の保持台等を横置きに配置した香炉の斜視図。
【図２５】蓋の裏側に、図１の保持台等を配置した香炉の斜視図。
【図２６】同香炉蓋の斜視図。
【図２７】図１の保持台等を配置し、上に火屋を被せた香炉の一部切断斜視図。
【図２８】お香を立てる位置に磁石を配置したお香保持台の中央部断面図。
【図２９】お香を立てる位置に、着座部を設け、着座部に向かって、下向きに傾斜する傾斜面を設けたお香保持台の斜視図。
【図３０】お香を立てる位置に、着座部、および補足柱を設け、着座部に向かって、下向きに傾斜する傾斜面を設けたお香保持台の、中央部断面図。
【図３１】従来例、円盤に穴を開けたお香立て。
【図３２】従来例、厚い円盤に穴を開けたお香立て。
【図３３】従来例、皿に斜めに傾けて穴を穿ったお香立て。
【符号の説明】
【０１３３】
１    保持台
２    保持台に配置された磁石
３    移動保持具
４    追加された移動保持具
５     保持台に配置されたリング状磁石
６     保持台に配置された支柱
７    支柱周辺に配置された強磁性体
８    保持台に配置された強磁性体
９    お香軸に向かって下向きに傾斜する皿状の傾斜面
１０  お香軸に向かって下向きに傾斜する傾斜面
１１  お香軸に向かって先が開いた形のレール
１２  補足柱
１３  香炉
１４  香炉の蓋部
１５  火屋
１６  お香保持台
１７  着座部
９８  従来例のお香立て
９９  お香軸